(57)【要約】  本技術は、使い勝手を向上させることができるようにする画像処理装置および制御方法、並びにプログラムに関する。画像処理装置は、画像を上下方向に反転させて表示するフリップ機能をオンまたはオフに設定する設定部と、フリップ機能の設定に基づき表示画面を表示させ、外部機器から所定方向に関する操作指示を受信した場合、表示画面を基準として所定方向に関する操作が行われるように制御する制御部とを備える。本技術はデジタルカメラに適用することができる。
2018088238.tif 000002
【特許請求の範囲】
【請求項１】
画像を上下方向に反転させて表示するフリップ機能をオンまたはオフに設定する設定部と、
前記フリップ機能の設定に基づき表示画面を表示させ、外部機器から所定方向に関する操作指示を受信した場合、前記表示画面を基準として前記所定方向に関する操作が行われるように制御する制御部と
を備える画像処理装置。
【請求項２】
前記制御部は、前記フリップ機能がオンに設定されている場合、前記表示画面を上下方向に反転させて表示させる
請求項１に記載の画像処理装置。
【請求項３】
前記制御部は、前記フリップ機能がオンに設定されている場合、前記外部機器を基準とする上方向に関する操作指示を前記外部機器から受信したとき、上下方向に反転表示された前記表示画面を基準として上方向への操作が行われるように制御する
請求項２に記載の画像処理装置。
【請求項４】
前記制御部は、前記フリップ機能がオフに設定されている場合、前記表示画面を上下方向に反転させずに表示させ、前記外部機器を基準とする上方向に関する操作指示を前記外部機器から受信したとき、上下方向に反転されずに表示された前記表示画面を基準として上方向への操作が行われるように制御する
請求項２に記載の画像処理装置。
【請求項５】
前記表示画面は、複数のメニュー項目が並べられて配置されたメニュー画面である
請求項１に記載の画像処理装置。
【請求項６】
前記制御部は、前記フリップ機能がオンに設定されている場合、前記メニュー画面を上下方向に反転させて表示させ、前記外部機器から前記所定方向に関する操作指示を受信したとき、前記所定方向に関する操作指示に基づいて、上下方向に反転表示された前記メニュー画面を基準として前記メニュー画面上の前記メニュー項目を選択する
請求項５に記載の画像処理装置。
【請求項７】
前記制御部は、前記外部機器から方向に関係付けられていない操作指示を受信した場合、前記フリップ機能の設定によらず、前記方向に関係付けられていない操作が行われるように制御する
請求項１に記載の画像処理装置。
【請求項８】
前記フリップ機能がオンに設定された場合、撮影により得られた画像の上下方向の反転、収音により得られた収音音声の左右のチャンネルの入れ替え、前記表示画面の上下方向の反転表示、および互いに異なる方向に関係付けられた操作部間における割り当て機能の入れ替えのうちの少なくとも何れか１つが行われる
請求項１に記載の画像処理装置。
【請求項９】
画像を上下方向に反転させて表示するフリップ機能をオンまたはオフに設定し、
前記フリップ機能の設定に基づき表示画面を表示させ、外部機器から所定方向に関する操作指示を受信した場合、前記表示画面を基準として前記所定方向に関する操作が行われるように制御する
ステップを含む制御方法。
【請求項１０】
画像を上下方向に反転させて表示するフリップ機能をオンまたはオフに設定し、
前記フリップ機能の設定に基づき表示画面を表示させ、外部機器から所定方向に関する操作指示を受信した場合、前記表示画面を基準として前記所定方向に関する操作が行われるように制御する
ステップを含む処理をコンピュータに実行させるプログラム。
【発明の詳細な説明】
【技術分野】
【０００１】
本技術は画像処理装置および制御方法、並びにプログラムに関し、特に、使い勝手を向上させることができるようにした画像処理装置および制御方法、並びにプログラムに関する。
【背景技術】
【０００２】
例えばカメラに関する技術として、広視野画像を展開して得られた画像から視野の異なる２つの画像を切り出して並べたハーフワイド画像を表示させるときに、一方の視野の画像を左右に反転させて表示させる技術が提案されている（例えば、特許文献１参照）。【０００３】
このような技術を適用したカメラを自動車に設置して撮影を行い、得られたハーフワイド画像を表示すれば、ハーフワイド画像における２つの異なる視野の領域において風景が同じ方向に流れるようになるので運転補助等の用途で用いることができる。【０００４】
また、カメラで撮影を行う場合、使用用途によってカメラを手で持って撮影を行ったり、カメラを自動車や天井などに固定して撮影を行ったりすることがあるが、カメラを逆さにして動画像を撮影すると画像の上下や音声の左右のチャンネルが逆になってしまう。【０００５】
そこで、カメラを逆さにして撮影を行うことを想定して記録用画像を上下に反転させたり、音声の左右のチャンネルを入れ替えたりする機能も提案されている。
【先行技術文献】
【特許文献】
【０００６】
【特許文献１】特開２００８−２８７７８号公報
【発明の概要】
【発明が解決しようとする課題】
【０００７】
しかしながら上述した技術では、カメラを逆さにして撮影を行うときなどにおいて撮影操作等が不便なことがあり、撮影した画像を上下に反転させるだけでは十分に使い勝手がよいとはいえなかった。【０００８】
本技術は、このような状況に鑑みてなされたものであり、使い勝手を向上させることができるようにするものである。
【課題を解決するための手段】
【０００９】
本技術の一側面の画像処理装置は、画像を上下方向に反転させて表示するフリップ機能をオンまたはオフに設定する設定部と、前記フリップ機能の設定に基づき表示画面を表示させ、外部機器から所定方向に関する操作指示を受信した場合、前記表示画面を基準として前記所定方向に関する操作が行われるように制御する制御部とを備える。【００１０】
前記制御部には、前記フリップ機能がオンに設定されている場合、前記表示画面を上下方向に反転させて表示させることができる。【００１１】
前記制御部には、前記フリップ機能がオンに設定されている場合、前記外部機器を基準とする上方向に関する操作指示を前記外部機器から受信したとき、上下方向に反転表示された前記表示画面を基準として上方向への操作が行われるように制御させることができる。【００１２】
前記制御部には、前記フリップ機能がオフに設定されている場合、前記表示画面を上下方向に反転させずに表示させ、前記外部機器を基準とする上方向に関する操作指示を前記外部機器から受信したとき、上下方向に反転されずに表示された前記表示画面を基準として上方向への操作が行われるように制御させることができる。【００１３】
前記表示画面を、複数のメニュー項目が並べられて配置されたメニュー画面とすることができる。【００１４】
前記制御部には、前記フリップ機能がオンに設定されている場合、前記メニュー画面を上下方向に反転させて表示させ、前記外部機器から前記所定方向に関する操作指示を受信したとき、前記所定方向に関する操作指示に基づいて、上下方向に反転表示された前記メニュー画面を基準として前記メニュー画面上の前記メニュー項目を選択させることができる。【００１５】
前記制御部には、前記外部機器から方向に関係付けられていない操作指示を受信した場合、前記フリップ機能の設定によらず、前記方向に関係付けられていない操作が行われるように制御させることができる。【００１６】
前記フリップ機能がオンに設定された場合、撮影により得られた画像の上下方向の反転、収音により得られた収音音声の左右のチャンネルの入れ替え、前記表示画面の上下方向の反転表示、および互いに異なる方向に関係付けられた操作部間における割り当て機能の入れ替えのうちの少なくとも何れか１つが行われるようにすることができる。【００１７】
本技術の一側面の制御方法またはプログラムは、画像を上下方向に反転させて表示するフリップ機能をオンまたはオフに設定し、前記フリップ機能の設定に基づき表示画面を表示させ、外部機器から所定方向に関する操作指示を受信した場合、前記表示画面を基準として前記所定方向に関する操作が行われるように制御するステップを含む。【００１８】
本技術の一側面においては、画像を上下方向に反転させて表示するフリップ機能がオンまたはオフに設定され、前記フリップ機能の設定に基づき表示画面が表示され、外部機器から所定方向に関する操作指示を受信した場合、前記表示画面を基準として前記所定方向に関する操作が行われるように制御される。
【発明の効果】
【００１９】
本技術の一側面によれば、使い勝手を向上させることができる。【００２０】
なお、ここに記載された効果は必ずしも限定されるものではなく、本開示中に記載された何れかの効果であってもよい。
【図面の簡単な説明】
【００２１】
【図１】撮像装置の外観の構成例を示す図である。
【図２】撮像装置の外観の構成例を示す図である。
【図３】撮像装置の外観の構成例を示す図である。
【図４】撮像装置の外観の構成例を示す図である。
【図５】撮像装置の機能的な構成例を示す図である。
【図６】フリップ設定について説明する図である。
【図７】フリップ設定について説明する図である。
【図８】フリップ設定について説明する図である。
【図９】フリップ設定処理を説明するフローチャートである。
【図１０】フリップ設定と動画像の撮影について説明する図である。
【図１１】フリップ設定と動画像の撮影について説明する図である。
【図１２】撮影処理を説明するフローチャートである。
【図１３】フリップ設定と画像出力について説明する図である。
【図１４】フリップ設定と画像出力について説明する図である。
【図１５】出力処理を説明するフローチャートである。
【図１６】フリップ設定と方向キーの挙動について説明する図である。
【図１７】フリップ設定と方向キーの挙動について説明する図である。
【図１８】DISP機能に関する表示の切り替えについて説明する図である。
【図１９】DISP機能に関する表示の切り替えについて説明する図である。
【図２０】DISP機能に関する表示の切り替えについて説明する図である。
【図２１】機能設定画面の表示例を示す図である。
【図２２】WB設定画面の表示例を示す図である。
【図２３】メニュー画面の表示例を示す図である。
【図２４】キー操作処理を説明するフローチャートである。
【図２５】遠隔操作器の外観の構成例を示す図である。
【図２６】コマンド実行処理を説明するフローチャートである。
【図２７】コンピュータの構成例を示す図である。
【図２８】内視鏡手術システムの概略的な構成の一例を示す図である。
【図２９】図２８に示すカメラヘッド及びＣＣＵの機能構成の一例を示すブロック図である。
【発明を実施するための形態】
【００２２】
以下、図面を参照して、本技術を適用した実施の形態について説明する。
【００２３】
〈第１の実施の形態〉
〈撮像装置の外観構成例〉
まず、図１乃至図４を参照して、本技術を適用した画像処理装置の一例である撮像装置の外観の構成例について説明する。
【００２４】
図１は、撮像装置の外観の正面図を示している。
【００２５】
撮像装置１１は例えばデジタルカメラなどからなり、撮影者であるユーザが手で撮像装置１１を持って撮影を行うことができるだけでなく、撮像装置１１を自転車や天井、壁などに固定して撮影を行うこともできるようになされている。
【００２６】
撮像装置１１の正面には被写体からの光を図示せぬ撮像素子へと導くレンズ２１が設けられている。また、撮像装置１１の正面部分におけるレンズ２１の図中、下側には動画像撮影時に周囲の音を収音するマイクロホンからなる収音部２２−１および収音部２２−２が設けられている。基本的には収音部２２−１により収音された音が右チャンネルの音声とされ、収音部２２−２により収音された音が左チャンネルの音声とされる。
【００２７】
なお、以下、収音部２２−１および収音部２２−２を特に区別する必要のない場合、単に収音部２２とも称する。
【００２８】
撮像装置１１の正面部分の図中、左上にはタリーランプ２３が設けられている。このタリーランプ２３は、撮像装置１１による動画像の撮影中に点灯し、動画像の撮影が行われていない状態では消灯するようになされている。
【００２９】
また、通常、撮像装置１１により動画像や静止画像を撮影するときには、矢印Ａ１１に示す上面が鉛直方向上側に向けられた状態で、つまり矢印Ａ１２に示す底面が地面に向けられた状態で撮影が行われる。
【００３０】
そのため、撮像装置１１の上面には、例えば図２に示すように電源ボタン４１やシャッタボタン４２、音声出力部４３などが設けられている。なお、図２は、撮像装置１１を図１中、上側から下方向に見た上面図を示している。
【００３１】
電源ボタン４１は、撮像装置１１の電源をオンまたはオフさせるときに操作されるボタンであり、シャッタボタン４２は、静止画像を撮影するときや、動画像の撮影を開始するとき、動画像の撮影を停止するときなどに操作される。また、シャッタボタン４２は、図示せぬ表示部にメニュー画面等が表示されている状態では、選択を決定させるためのエンターキー（決定ボタン）として機能する。
【００３２】
音声出力部４３は、例えばスピーカなどからなり、動画像の再生時に動画像の音声を再生する。
【００３３】
また、撮像装置１１における図１に示した正面とは反対側の面、すなわち撮像装置１１の裏面には、例えば図３に示すように各種のボタン等が設けられている。なお、図３では、撮像装置１１の図３中、上側が上面側となっており、撮像装置１１の図３中、下側が底面側となっている。
【００３４】
撮像装置１１の裏面には、例えばLCD（Liquid Crystal Display）などからなり、各種の画像を表示する表示部６１が設けられている。
【００３５】
また、表示部６１の周囲にはタリーランプ６２、上ボタン６３、下ボタン６４、左ボタン６５、右ボタン６６、およびメニューボタン６７が設けられている。
【００３６】
タリーランプ６２は、撮像装置１１の正面に設けられたタリーランプ２３と同様に、動画像の撮影中に点灯し、動画像の撮影が行われていない状態では消灯する。
【００３７】
上ボタン６３は、表示部６１に表示されている画像やメニュー画面等に対する上方向への操作を行なうときに操作される。
【００３８】
すなわち、上ボタン６３は、例えばメニュー画面においてカーソル等をメニュー画面の上端の方向へと移動させるときや、撮影により得られた画像の上端方向側の領域を表示させるためのスクロール操作を行うときなどに操作される。
【００３９】
以下では、特に画像やメニュー画面等の中心から上端へと向かう方向を画面上方向とも称することとし、同様に画像やメニュー画面等の中心から下端、左端、および右端のそれぞれへと向かう方向を画面下方向、画面左方向、および画面右方向とも称することとする。例えば画面上方向は、画像やメニュー画面等を基準とした、つまりそれらの画像やメニュー画面上における上方向である。
【００４０】
また、以下、画像やメニュー画面等に対して画面上方向、画面下方向、画面左方向、および画面右方向のそれぞれに関係付けられた操作を行う機能を上方向操作機能、下方向操作機能、左方向操作機能、および右方向操作機能とも称することとする。
【００４１】
したがって、上ボタン６３には画像やメニュー画面等の表示画面を基準として上方向に関係付けられた操作、つまりカーソル等の画面上方向への移動や、画面上方向側の領域を表示させるためのスクロール操作などの上方向操作機能が割り当てられている。
【００４２】
その他、上ボタン６３は、撮影時や画像再生時において表示部６１の表示を切り替えるときにも操作される。すなわち、上ボタン６３が操作されると、各種の設定を表すマーク等が必要最低限だけ表示されている状態、各種の設定を表すマーク等がより多く表示されている状態、画像に関するヒストグラムが表示された状態など、上ボタン６３に対する操作に応じて表示部６１の表示が切り替えられていく。
【００４３】
以下では、撮影時や画像再生時に表示部６１の表示を切り替える機能をDISP機能と称することとする。
【００４４】
このように上ボタン６３には、上方向操作機能とDISP機能とが割り当てられている。
【００４５】
撮像装置１１の裏面には上ボタン６３の図中、上側、すなわち矢印Ｗ１１に示す部分にはDISP機能を示す文字「DISP」が印字されており、ユーザ（使用者）はこの印字を見ることで上ボタン６３にDISP機能が割り当てられていることを瞬時に把握することができる。
【００４６】
上ボタン６３の図中、下側、つまり底面側には下ボタン６４が配置されており、下ボタン６４は、画面下方向への操作を行なうときに操作される。すなわち、下ボタン６４には下方向操作機能が割り当てられている。
【００４７】
また、下ボタン６４には、下方向操作機能の他に予め定められた複数の機能のうちの任意の１つの機能を選択的に割り当てることが可能となっている。例えば初期設定では、下ボタン６４には再生機能が割り当てられており、下ボタン６４が操作されると最後に撮影された画像の再生が開始される。
【００４８】
右ボタン６６は、表示部６１に表示されている画像やメニュー画面等に対する画面右方向への操作を行なうときに操作される。すなわち、右ボタン６６には右方向操作機能が割り当てられている。
【００４９】
具体的には、例えば右ボタン６６はメニュー画面においてカーソル等を画面右方向へと移動させるときや、撮影により得られた画像の右端方向側の領域を表示させるためのスクロール操作を行うときなどに操作される。
【００５０】
また、右ボタン６６には右方向操作機能の他、機能設定画面を表示させるファンクション機能（以下、Fn機能と称する）も割り当てられている。すなわち、例えば撮影時等に右ボタン６６が操作されると、表示部６１には機能設定画面が表示される。
【００５１】
撮像装置１１の裏面には右ボタン６６の図中、右側、すなわち矢印Ｗ１２に示す部分にはFn機能を示す文字「Fn」が印字されており、ユーザはこの印字を見ることで右ボタン６６にFn機能が割り当てられていることを瞬時に把握することができる。
【００５２】
なお、ここでは文字「DISP」や「Fn」など、ボタン近傍に、そのボタンに対して予め割り当てられた機能を示す文字が印字されている例について説明するが、機能を示す記号などが印字されるようにしてもよい。
【００５３】
右ボタン６６の図中、左側には左ボタン６５が配置されており、左ボタン６５は画面左方向への操作を行なうときに操作される。すなわち、左ボタン６５には、左方向操作機能が割り当てられている。
【００５４】
また、左ボタン６５には左方向操作機能の他に予め定められた複数の機能のうちの任意の１つの機能を選択的に割り当てることが可能となっている。例えば初期設定では、左ボタン６５にはWB（White Balance）設定機能が割り当てられており、撮影時等に左ボタン６５が操作されると、表示部６１にはホワイトバランス調整を行う際の前提となる撮影環境を選択するためのWB設定画面が表示される。
【００５５】
このように上ボタン６３、下ボタン６４、左ボタン６５、および右ボタン６６は、それぞれ上下左右という方向に関係付けられており、それらの各ボタン（キー）には関係付けられた方向への操作を行う機能と、方向とは無関係の機能とが割り当てられている。つまり、方向に関係付けられた操作部としての各ボタンには、それらの方向に関係付けられた機能と、方向に関係付けられていない機能とが予め割り当てられている。
【００５６】
以下では上ボタン６３、下ボタン６４、左ボタン６５、および右ボタン６６を特に区別する必要のない場合には、それらのボタンを方向キーとも称することとする。図３に示す例では、各方向キーにはそれらの方向キーに関係付けられた方向の矢印が印字されている。また、各方向キーには少なくとも１以上の機能が割り当てられていればよい。つまり、方向キーには１または複数の機能が割り当てられていればよい。
【００５７】
左ボタン６５の図中、左側にはメニューボタン６７が配置されており、メニューボタン６７は表示部６１にメニュー画面を表示させるときに操作される。すなわち、メニューボタン６７には、メニュー画面を表示させるメニュー表示機能が割り当てられている。
【００５８】
さらに撮像装置１１の裏面における表示部６１の図中、左側にはカバー６８が取り付けられており、ロックボタン６９を操作することでカバー６８を撮像装置１１から取り外すことができるようになされている。
【００５９】
撮像装置１１本体におけるカバー６８下側には、矢印Ｑ１１に示すように各種の端子やスロットが設けられている。ここで、矢印Ｑ１１に示す図は撮像装置１１本体の裏面左側部分のカバー６８が取り外された状態を示している。
【００６０】
この例では、撮像装置１１本体におけるカバー６８下には、外部との接続のための入出力端子としてHDMI（登録商標）（High-Definition Multimedia Interface）の端子７０およびUSB（登録商標）（Universal Serial Bus）の端子７１が設けられている。
【００６１】
また、撮像装置１１本体のカバー６８下には、マイクロホンを取り付けるための端子７２や、撮像装置１１に着脱可能なリムーバブル記録媒体の挿入口であるスロット７３、およびリムーバブル記録媒体に対するアクセス等を通知するためのメディアアクセスランプ７４が設けられている。
【００６２】
さらに撮像装置１１の底面には、例えば図４に示すように撮像装置１１を三脚等に固定するための固定部であるソケット９１が設けられている。このソケット９１を利用して撮像装置１１を天井や壁などに固定すれば、撮像装置１１を逆さにした状態や９０度回転させた状態で撮影等を行うことができる。
【００６３】
〈撮像装置の機能的構成例〉
次に、撮像装置１１の機能的な構成例について説明する。
【００６４】
図５は、撮像装置１１の機能的な構成例を示す図である。なお、図５において図１乃至図４における場合と対応する部分には同一の符号を付してあり、その説明は適宜省略する。
【００６５】
図５に示す例では、遠隔操作器１２１により撮像装置１１の遠隔操作が可能となっており、撮像装置１１にはディスプレイ付きのレコーダや、ディスプレイなどの外部機器１２２が接続されている。以下では、外部機器１２２がディスプレイ付きのレコーダであるものとして説明を続ける。また、外部機器１２２専用の外部機器用遠隔操作器１２３によって、外部機器１２２および撮像装置１１を遠隔操作することが可能となっている。
【００６６】
撮像装置１１は、撮像部１３１、収音部２２、操作部１３２、制御部１３３、リムーバブル記録媒体１３４、音声出力部４３、表示部６１、通信部１３５、および入出力端子１３６を有している。
【００６７】
撮像部１３１は、図１に示したレンズ２１や撮像素子などからなり、制御部１３３の制御に従って被写体からの光を受光して光電変換することにより画像を撮像し、得られた画像の画像データを制御部１３３に供給する。なお、以下では撮像部１３１で得られた画像を特に撮影画像とも称することとする。
【００６８】
収音部２２は、制御部１３３の制御に従って周囲の音声を収音し、その結果得られた収音音声の音声データを制御部１３３に供給する。
【００６９】
操作部１３２は、例えば図２に示した電源ボタン４１やシャッタボタン４２、図３に示した上ボタン６３乃至メニューボタン６７、表示部６１に重畳して設けられたタッチパネルなどからなり、ユーザの操作に応じた信号を制御部１３３に供給する。
【００７０】
制御部１３３は、撮像装置１１全体の動作を制御する。制御部１３３は設定部１５１、OSD（On Screen Display）画像生成部１５２、表示制御部１５３、および記録制御部１５４を有している。
【００７１】
設定部１５１は操作部１３２からの信号に応じて各種の設定を行う。OSD画像生成部１５２はOSD画像を生成する。
【００７２】
OSD画像は、例えば撮影モードを示すマークや、バッテリの残量を示す画像、ホワイトバランス設定を示すマークなどの各種の設定や撮像装置１１に関する状態等を示すマークや画像を表示する画像である。
【００７３】
表示制御部１５３は、表示部６１や外部機器１２２における各種の画像の表示を制御する。記録制御部１５４は撮影により得られた画像データや、収音により得られた音声データのリムーバブル記録媒体１３４や外部機器１２２への記録を制御する。
【００７４】
リムーバブル記録媒体１３４は、撮像装置１１に着脱可能な記録媒体であり、図３に示したスロット７３に挿入されると撮像装置１１に装着された状態となる。リムーバブル記録媒体１３４は、制御部１３３から供給された画像データや音声データを記録するとともに、必要に応じて記録している画像データや音声データを制御部１３３に供給する。
【００７５】
通信部１３５は、無線または有線の通信により遠隔操作器１２１から送信されてきたコマンドを受信して制御部１３３に供給する。
【００７６】
例えば遠隔操作器１２１は、赤外線等による無線通信や端子７１等を介した有線の通信によりコマンドを送信する、撮像装置１１専用または汎用のリモートコマンダであるが、その他、スマートフォンなどにより実現されるようにしてもよい。
【００７７】
入出力端子１３６は、例えば図３に示した端子７０や端子７１などからなり、外部機器１２２との間で通信を行うための入出力部である。
【００７８】
例えば入出力端子１３６は、制御部１３３から供給された画像データや音声データを外部機器１２２に出力したり、外部機器１２２から供給されたコマンド等を制御部１３３に出力したりする。
【００７９】
〈フリップ設定について〉
ところで、上述したように撮像装置１１はユーザの手に持たれた状態で使用されることもあるし、天井や壁などに固定された状態で使用されることもある。
【００８０】
例えば撮像装置１１が逆さに固定されている状態で使用される場合には、撮影された画像が上下逆さまの状態で記録され、また収音された音声の左右のチャンネルが入れ替わった状態で記録されてしまうことになる。
【００８１】
そこで、撮像装置１１では、撮像装置１１が逆さまの状態で使用されるときでも画像の上下が反転しないようにするためのフリップ機能が設けられている。フリップ機能とは、撮影された画像や再生される画像、メニュー画面などの画像の表示方向を所定方向、すなわちここでは上下方向に反転させる機能である。また、この実施の形態では、フリップ機能によって、撮像装置１１が逆さまの状態で使用されるときでも音声の左右のチャンネルが入れ替わったりしないようにすることもできるようになされている。
【００８２】
ここで、撮像部１３１で得られた撮影画像に対して、撮影中に表示部６１に表示される画角確認用の画像をスルー画像と称し、リムーバブル記録媒体１３４等に記録するための記録用の画像を記録用画像と称することとする。また、収音部２２での収音により得られた音声を収音音声とも称し、リムーバブル記録媒体１３４等に記録するための記録用の音声を記録用音声とも称することとする。
【００８３】
例えばフリップ設定がオフとされている、つまりフリップ機能がオフに設定されている状態では、撮像装置１１が逆さまでない状態、つまり撮像装置１１の底面が鉛直方向下側（地面側）に向けられて使用されることが想定されている。
【００８４】
そのため、フリップ設定がオフの状態では、撮影画像および収音音声がそのまま記録用画像および記録用音声とされる。
【００８５】
また、詳細は後述するが、フリップ設定がオフの状態ではOSD画像やメニュー画面などの表示画面も撮影装置１１の上面側が画面上方向となるように表示が行われる。
【００８６】
なお、以下では、記録用画像やOSD画像、メニュー画面などの表示部６１に表示される画像（画面）を特に区別する必要のない場合には、単に表示画面とも称することとする。但し、スルー画像は表示画面に含まれない（除外される）ものとする。
【００８７】
また、以下では、表示部６１に表示画面を表示させたときに、表示画面の上端、つまり画面上方向側の端が表示部６１の上面側に位置する表示状態を通常表示状態と称することとする。通常表示状態では、撮像装置１１の上面が自身から見て上側に位置する状態で使用しているユーザには、表示部６１において文字等が真っすぐに表示された状態となる。
【００８８】
これに対して、フリップ設定がオンとされている、つまりフリップ機能がオンの状態では、撮影画像が上下方向に反転されて、つまり撮影画像が１８０度回転されて記録用画像とされ、収音音声の左右のチャンネルが入れ替えられて記録用音声とされる。
【００８９】
また、詳細は後述するが、フリップ設定がオンの状態ではOSD画像やメニュー画面などの表示画面も撮影装置１１の底面側が画面上方向となるように、表示画面が上下方向に反転されて表示される。つまり、表示画面の表示方向が上下に反転される。
【００９０】
なお、以下では表示部６１に表示画面を表示させたときに、表示画面の上端、つまり画面上方向側の端が表示部６１の底面側に位置する表示状態を反転表示状態と称することとする。
【００９１】
反転表示状態では、撮像装置１１の底面が自身から見て上側に位置する状態で使用しているユーザには、表示部６１において文字等が真っすぐに表示された状態となる。換言すれば、反転表示状態では、撮像装置１１の上面が自身から見て上側に位置する状態で使用しているユーザには、表示部６１において文字等が上下逆さまに表示された状態となる。
【００９２】
さらに、フリップ設定がオンの状態では撮像装置１１の方向キーの挙動も変化する。すなわち、互いに異なる方向に関係付けられた２つの方向キー間で、それらの方向キーの割り当て機能の入れ替えが行われる。
【００９３】
このようにフリップ機能がオンに設定されている場合には、記録用画像生成時における撮影画像の上下方向の反転、記録用音声生成時における収音音声の左右のチャンネルの入れ替え、表示画面の上下方向の反転表示、および方向キー間における割り当て機能の入れ替えが行われるが、それらのうちの少なくとも何れか１つが行われるようにしてもよい。例えば、フリップ機能がオンに設定されている場合には、少なくとも記録用画像生成時における撮影画像の上下方向の反転や表示画面の上下方向の反転表示といった画像の表示方向の上下方向への反転が行われるようにすることもできる。この場合、記録用音声生成時における収音音声の左右のチャンネルの入れ替えや、方向キー間における割り当て機能の入れ替えは行われるようにしてもよいし、行われないようにしてもよい。
【００９４】
〈フリップ設定時の操作について〉
それでは以下、フリップ設定について、より詳細に説明する。
【００９５】
まず、フリップ機能をオンまたはオフに設定するときの操作について説明する。
【００９６】
ユーザは、撮像装置１１の裏面に設けられたメニューボタン６７を操作するなどして、表示部６１にメニュー画面を表示させることでフリップ設定をオンまたはオフとする設定操作を行うことができる。
【００９７】
例えばフリップ設定がオフである状態でメニューボタン６７が操作されると、表示制御部１５３は操作部１３２としてのメニューボタン６７から供給された信号に応じて、メニュー画面のデータを表示部６１に供給し、図６に示すメニュー画面を表示させる。
【００９８】
図６に示す例では、メニュー画面には文字「Flip」が表示されたメニュー項目MA11を含む複数のメニュー項目が並べられて配置（表示）されている。このメニュー項目MA11は、フリップ設定を行うためのメニュー項目であり、メニュー項目MA11に表示された文字「Off」は、現状のフリップ設定がオフとなっていることを表している。そのため、図６に示す例では、メニュー画面の表示状態は通常表示状態となっている。
【００９９】
また、この例ではメニュー項目MA11がハイライトされており、つまり他のメニュー項目とは異なる表示状態とされており、メニュー項目MA11が選択された状態となっている。
【０１００】
このような状態で、例えばユーザが撮像装置１１の上面に設けられたシャッタボタン４２等を操作し、メニュー項目MA11の選択の決定を指示したとする。
【０１０１】
すると、表示制御部１５３は、操作部１３２としてのシャッタボタン４２等から供給された信号に応じて、フリップ設定画面のデータを表示部６１に供給し、例えば図７に示すフリップ設定画面を表示させる。
【０１０２】
図７に示す例では、図６に示したメニュー画面上にフリップ設定を行うためのフリップ設定画面FC11が重畳表示されており、フリップ設定がオフである状態となっているため、フリップ設定画面FC11も通常表示状態での表示となっている。
【０１０３】
フリップ設定画面FC11には、フリップ機能をオンに設定するための設定項目CA11-1と、フリップ機能をオフに設定するための設定項目CA11-2とが表示されている。特に、設定項目CA11-1には文字「On」が表示されており、設定項目CA11-2には文字「Off」が表示されている。なお、以下、設定項目CA11-1および設定項目CA11-2を特に区別する必要のない場合、単に設定項目CA11とも称することとする。
【０１０４】
フリップ設定画面FC11が表示された状態となると、ユーザは方向キーやシャッタボタン４２等を操作し、設定項目CA11を選択状態としたり、選択状態となっている設定項目CA11の選択を決定したりすることでフリップ設定を行う。
【０１０５】
図７に示す例では、フリップ設定をオフとするための設定項目CA11-2がハイライトされて選択状態となっている。この状態から設定項目CA11-2の選択を決定する操作が行われると、設定部１５１は操作部１３２から供給された信号に基づいてフリップ設定をオフとし、その設定結果を示すフリップ設定情報を記録する。
【０１０６】
なお、より詳細には設定部１５１はフリップ設定情報を記録しており、設定項目CA11-2の選択が決定されると、記録しているフリップ設定情報をフリップ機能がオフである旨の情報とすることで、フリップ設定情報を更新する。
【０１０７】
このようにフリップ設定がオフとされると、その後、表示制御部１５３は、例えば表示部６１の表示を図６に示したメニュー画面に戻したり、メニュー画面が表示される前の状態、例えばスルー画像が表示された状態に戻したりする。
【０１０８】
一方、フリップ設定をオンにするための設定項目CA11-1が選択状態とされて、設定項目CA11-1の選択を決定する操作がユーザにより行われると、設定部１５１は操作部１３２から供給された信号に基づいてフリップ設定をオンとし、その設定結果を示すフリップ設定情報を記録する。すなわち、フリップ設定情報が、フリップ機能がオンである旨の情報に更新される。
【０１０９】
また、表示制御部１５３はフリップ設定がオンとされると、その直後に表示部６１を制御して、例えば図８に示すフリップ設定に関する画面、すなわちフリップ機能の設定に関する画面である説明画面を表示させる。
【０１１０】
この例では、フリップ設定がオンになっているため、説明画面は反転表示状態での表示となっている。すなわち、説明画面の上端が撮像装置１１の底面側となるように、説明画面が上下方向に反転された状態で表示部６１に表示されている。
【０１１１】
この説明画面には、フリップ機能についての説明が表示されている。具体的には、説明画面には、フリップ設定がオンとされたときの操作部１３２の挙動、特に操作部１３２としての方向キーの挙動に関する説明を示す文字「Switches between the up button and down button function.」および文字「Switches between the left button and right button function.」が表示されている。
【０１１２】
すなわち、説明画面には方向キーのうちの上ボタン６３および下ボタン６４という、互いに相反する方向に関係付けられたボタンの挙動（機能）が入れ替わる旨の説明が表示される。同様に、説明画面には方向キーのうちの左ボタン６５および右ボタン６６という、互いに相反する方向に関係付けられたボタンの挙動（機能）が入れ替わる旨の説明も表示される。
【０１１３】
なお、フリップ設定による方向キー等の挙動についての詳細な説明は後述する。また、ここでは説明画面の一例として、方向キーの挙動の説明が表示される場合について説明した。しかし、表示が上下に反転する旨の説明や、遠隔操作器の挙動に関する説明など、フリップ設定がオンとされたときに、表示状態を含む撮像装置１１等の挙動がどのようになるかの説明が表示されれば、説明画面はどのようなものであってもよい。
【０１１４】
以上のように撮像装置１１では、フリップ設定がオンとされた直後に、フリップ設定がオンとなったときの撮像装置１１の挙動に関する説明が表示された説明画面が反転表示状態で表示される。これにより、ユーザに対してフリップ設定がオンとされたことを通知できるだけでなく、その設定後の挙動も直感的かつ容易に把握させることができ、撮像装置１１の使い勝手を向上させることができる。特に説明画面を反転表示状態で表示させることで、ユーザは表示部６１の表示が上下に反転することを容易に把握することができる。
【０１１５】
また、図８に示す説明画面には、ユーザが説明画面の説明内容を確認したときに操作されるボタンBT11も表示されており、ボタンBT11には文字「OK」が表示されている。
【０１１６】
説明画面上にボタンBT11を設けることで、ユーザに対して、フリップ設定がオンとされたことの確認を促すことができる。したがって、この例では、説明画面はユーザに対してフリップ設定の確認、すなわちフリップ機能についての設定の確認を行うための確認画面としても機能している。
【０１１７】
ユーザによりボタンBT11が操作されると、その後、表示部６１の表示は、例えば図６に示したメニュー画面に戻されたり、メニュー画面が表示される前の状態、例えばスルー画像が表示された状態に戻されたりする。
【０１１８】
さらに、ここでは説明画面には、フリップ設定をオンとしたことを確認するためのOKボタンであるボタンBT11が設けられる例について説明したが、ボタンBT11だけではなく、フリップ設定をオンとする操作をキャンセルするためのキャンセルボタンも設けられるようにしてもよい。
【０１１９】
そのような場合、ユーザは操作部１３２としての方向キー等を操作することで、説明画面上のキャンセルボタンを操作して、ユーザにより行われたフリップ設定をオンとする選択操作を無効とする。
【０１２０】
説明画面（確認画面）が表示されている状態でユーザによりキャンセルボタンが操作され、フリップ機能をオンとする設定のキャンセルが指示されると、設定部１５１は操作部１３２からの信号に基づいて、説明画面を表示する直前に行われたフリップ機能の設定をキャンセルする。また、表示制御部１５３は表示部６１を制御して、表示部６１における表示を図７に示したフリップ設定画面FC11に戻す。そして、新たにフリップ設定が行われると、設定部１５１は新たな設定結果を示すフリップ設定情報を記録する。
【０１２１】
このようにフリップ設定の説明画面において、直前にしたフリップ機能をオンとする設定をキャンセルできるようにすれば、さらに使い勝手を向上させることができる。
【０１２２】
次に、以上において説明したフリップ設定が行われるときの撮像装置１１の具体的な動作について説明する。すなわち、以下、図９のフローチャートを参照して、撮像装置１１により行われるフリップ設定処理について説明する。このフリップ設定処理は、表示部６１に図７に示したフリップ設定画面FC11が表示されると開始される。
【０１２３】
ステップＳ１１において、設定部１５１は操作部１３２からの信号に基づいて、フリップ設定をオンとするか否かを判定する。
【０１２４】
例えばユーザにより操作部１３２が操作されて、フリップ設定画面FC11上の設定項目CA11-1の選択が決定された場合、フリップ設定をオンとすると判定される。これに対して、フリップ設定画面FC11上の設定項目CA11-2の選択が決定された場合、フリップ設定をオンとしない、つまりオフとすると判定される。
【０１２５】
ステップＳ１１においてフリップ設定をオンとすると判定された場合、すなわち、フリップ機能をオンとする指示が受け付けられた場合、ステップＳ１２において設定部１５１は、ユーザによる設定項目CA11-1の選択決定の操作に応じて操作部１３２から供給された信号に基づいて、フリップ設定をオンとする。
【０１２６】
具体的には、設定部１５１は記録しているフリップ設定情報を、フリップ設定がオンである旨の情報に更新する。換言すれば、設定部１５１はフリップ設定がオンである旨のフリップ設定情報を生成し、記録する。
【０１２７】
ステップＳ１３において、表示制御部１５３は説明画面のデータを表示部６１に供給するとともに、設定部１５１に記録されている、フリップ設定がオンである旨のフリップ設定情報に基づいて表示部６１を制御し、上下に反転された説明画面を表示部６１に表示させる。これにより、例えば図８に示したように、説明画面が反転表示状態で表示部６１に表示される。
【０１２８】
説明画面が表示されると、フリップ設定処理は終了する。この場合、ユーザによりボタンBT11が操作されると、表示部６１の表示はメニュー画面に戻されたり、スルー画像の表示に戻されたりする。
【０１２９】
これに対して、ステップＳ１１においてフリップ設定をオンとしない、つまりオフとすると判定された場合、ステップＳ１４において、設定部１５１は、ユーザによる設定項目CA11-2の選択決定の操作に応じて操作部１３２から供給された信号に基づいて、フリップ設定をオフとする。
【０１３０】
具体的には、設定部１５１は記録しているフリップ設定情報を、フリップ設定がオフである旨の情報に更新する。換言すれば、設定部１５１はフリップ設定がオフである旨のフリップ設定情報を生成し、記録する。
【０１３１】
フリップ設定がオフとされると、その後、フリップ設定処理は終了する。この場合、表示部６１の表示は、例えばメニュー画面に戻されたり、スルー画像の表示に戻されたりする。すなわち、フリップ設定がオフとされた場合には、表示制御部１５３は、例えば図８に示した説明画面等のフリップ機能の設定に関する画面を表示させない。
【０１３２】
以上のようにして撮像装置１１は、フリップ設定画面に対するユーザの操作に応じてフリップ設定情報を記録するとともに、フリップ設定がオンとされると、その直後に説明画面を反転表示状態で表示させる。このようにすることで、フリップ設定がオンとなったことや、フリップ設定がオンとされるとどのような挙動となるかをユーザに簡単に把握させることができ、撮像装置１１の使い勝手を向上させることができる。
【０１３３】
〈動画像の撮影について〉
次に、フリップ設定がオンであるときとオフであるときの撮影時の動作について説明する。
【０１３４】
例えばフリップ設定がオフとされている状態で動画像の撮影が行われると、撮影画像および収音音声がそのまま記録用画像および記録用音声とされる。また、表示部６１では通常表示状態での表示が行われる。
【０１３５】
したがって、例えば図１０の矢印Ｑ２１に示すように撮像装置１１の底面が地面に向けられた状態（以下、通常使用状態とも称する）で撮影が行われると、表示部６１に表示されたOSD画像やスルー画像はユーザに対して真っすぐに見える状態となる。
【０１３６】
なお、ユーザは、通常使用状態で撮像装置１１を使用しているときには、ユーザから見て撮像装置１１の上側に上面があり、ユーザから見て撮像装置１１の下側に底面がある状態で表示部６１を見ているとする。これは、以下の説明においても同様であるとする。
【０１３７】
また、ユーザは、撮像装置１１を上下逆さにして使用している状態（以下、反転使用状態とも称する）では、ユーザから見て撮像装置１１の上側に底面があり、ユーザから見て撮像装置１１の下側に上面がある状態で表示部６１を見ていることとする。
【０１３８】
さらに、ユーザにOSD画像やスルー画像が真っすぐに見えるとは、ユーザにはOSD画像上の文字が逆さになったり横になったりせずに、通常人が文字を見るときの状態のように真っすぐに見えており、スルー画像の被写体もユーザが実際の被写体を見た通りの状態で見えていることをいう。以下の説明においてユーザに真っすぐに見えるとは、このような状態でユーザに画像等が見えている状態であるとする。
【０１３９】
フリップ設定がオフとされているときに、矢印Ｑ２１に示すように通常使用状態で撮影が行われると、矢印Ｑ２２に示すように記録用画像もユーザが実際に被写体を見ていたのと同様の状態で記録され、記録用音声も左右のチャンネルが正しく記録される。
【０１４０】
また、例えばフリップ設定がオフとされているときに、矢印Ｑ２３に示すように反転使用状態で、つまり撮像装置１１の上下を逆さまにした状態で撮影が行われると、スルー画像ではユーザが実際の被写体を見ているのと同じように被写体が表示されるが、OSD画像がユーザから見て上下逆さまに表示されることになる。
【０１４１】
さらに、フリップ設定がオフとされているときに、矢印Ｑ２３に示すように反転使用状態で撮影が行われると、矢印Ｑ２４に示すように記録用画像はユーザが実際に被写体を見ていたのと上下逆さまの状態で記録され、記録用音声も実際の音と左右のチャンネルが入れ替わった状態で記録される。
【０１４２】
このようにフリップ設定がオフのときには通常使用状態が正しい使用状態となり、反転使用状態は誤った使用状態となる。すなわち、フリップ設定がオフのときには通常使用状態での撮像装置１１の使用が想定されており、反転使用状態での使用は想定されていない。
【０１４３】
一方、フリップ設定がオンとされている状態で動画像の撮影が行われると、撮影画像を上下に反転させたものが記録用画像とされ、収音音声の左右のチャンネルを入れ替えたものが記録用音声とされる。また、表示部６１では反転表示状態での表示が行われる。但し、スルー画像については反転表示は行われず、通常表示状態での表示が行われる。
【０１４４】
したがって、フリップ設定がオンとされているときに、例えば図１１の矢印Ｑ３１に示すように通常使用状態で撮像装置１１により撮影が行われると、スルー画像ではユーザが実際の被写体を見ているのと同じように被写体が表示されるが、OSD画像がユーザから見て上下逆さまに表示されることになる。
【０１４５】
フリップ設定がオンとされているときに、矢印Ｑ３１に示すように通常使用状態で撮影が行われると、矢印Ｑ３２に示すように記録用画像はユーザが実際に被写体を見ていたのと上下逆さまの状態で記録され、記録用音声も実際の音と左右のチャンネルが入れ替わった状態で記録される。
【０１４６】
さらに、例えばフリップ設定がオンとされているときに、矢印Ｑ３３に示すように反転使用状態で撮像装置１１により撮影が行われると、表示部６１に表示されたOSD画像やスルー画像はユーザに対して真っすぐに見える状態となる。
【０１４７】
フリップ設定がオンとされているときに、矢印Ｑ３３に示すように反転使用状態で撮影が行われると、矢印Ｑ３４に示すように記録用画像はユーザが実際に被写体を見ていたのと同様の状態で記録され、記録用音声も左右のチャンネルが正しく記録される。
【０１４８】
このようにフリップ設定がオンのときには反転使用状態が正しい使用状態となり、通常使用状態は誤った使用状態となる。すなわち、フリップ設定がオンのときには反転使用状態での撮像装置１１の使用が想定されており、通常使用状態での使用は想定されていない。
【０１４９】
ここで、以上において説明した動画像を撮影するときの撮像装置１１の動作について説明する。すなわち、以下、図１２のフローチャートを参照して、撮像装置１１による撮影処理について説明する。
【０１５０】
ステップＳ４１において、撮像部１３１は撮影画像の撮影を開始する。すなわち、撮像部１３１は、被写体から入射してきた光を受光して光電変換を行うことで撮影画像の各フレームを撮影し、得られた画像データを順次、制御部１３３に供給する。
【０１５１】
ステップＳ４２において収音部２２は周囲の音声の収音を開始して、得られた収音音声の音声データを順次、制御部１３３へと供給する。
【０１５２】
ステップＳ４３において、制御部１３３はフリップ設定がオンであるか否かを判定する。例えば設定部１５１に記録されているフリップ設定情報が、フリップ設定がオンである旨の情報である場合、フリップ設定がオンであると判定される。
【０１５３】
ステップＳ４３においてフリップ設定がオンであると判定された場合、ステップＳ４４において、表示制御部１５３はスルー画像に上下反転させたOSD画像を重畳表示させる。
【０１５４】
すなわち、表示制御部１５３は、撮像部１３１で得られた撮影画像の画像データをそのままスルー画像の画像データとして表示部６１に供給し、表示部６１にスルー画像を表示させる。
【０１５５】
また、表示制御部１５３は、各種の設定に従ってOSD画像生成部１５２により生成されたOSD画像の画像データに基づいて、OSD画像が上下反転して表示される、つまりOSD画像が反転表示状態で表示される画像データを生成し、最終的なOSD画像の画像データとする。そして表示制御部１５３は、生成したOSD画像の画像データを表示部６１に供給して表示部６１を制御し、スルー画像上に反転表示状態のOSD画像を重畳表示させる。
【０１５６】
これにより、例えば図１１の矢印Ｑ３１や矢印Ｑ３３に示したようなスルー画像とOSD画像が表示部６１に表示される。
【０１５７】
ステップＳ４５において、記録制御部１５４は、撮影画像を上下方向に反転させて記録用画像とする。
【０１５８】
すなわち、記録制御部１５４は、撮像部１３１から供給された撮影画像の画像データに基づいて、反転表示状態で表示される撮影画像、つまり撮影画像が上下に反転されて表示される画像を表示させるための画像データを、記録用画像の画像データとして生成する。
【０１５９】
ステップＳ４６において、記録制御部１５４は、収音音声の左右のチャンネルを入れ替えて記録用音声とする。
【０１６０】
すなわち、記録制御部１５４は、収音部２２から供給された収音音声の音声データに基づいて、その音声データの左右のチャンネルを入れ替えた音声データを生成し、記録用音声の音声データとする。
【０１６１】
以上の処理により、例えば図１１の矢印Ｑ３２や矢印Ｑ３４に示したように動画像が再生される記録用画像の画像データおよび記録用音声の音声データが得られる。
【０１６２】
記録用画像の画像データと、記録用音声の音声データとが得られると、記録制御部１５４は、例えばそれらの画像データおよび音声データをリムーバブル記録媒体１３４に供給して記録させる。また、例えば記録用画像の画像データと、記録用音声の音声データは、制御部１３３によって入出力端子１３６を介して外部機器１２２に供給されてもよい。
【０１６３】
そして、適宜、記録用画像の画像データと記録用音声の音声データが記録されるなどすると、撮影処理は終了する。
【０１６４】
これに対して、ステップＳ４３において、フリップ設定がオンでない、つまりフリップ設定がオフであると判定された場合、処理はステップＳ４７へと進む。
【０１６５】
ステップＳ４７において、表示制御部１５３はスルー画像にOSD画像を重畳表示させる。
【０１６６】
すなわち、表示制御部１５３は、撮像部１３１で得られた撮影画像の画像データをそのままスルー画像の画像データとして表示部６１に供給し、表示部６１にスルー画像を表示させる。
【０１６７】
また、表示制御部１５３は、各種の設定に従ってOSD画像生成部１５２により生成されたOSD画像の画像データをそのまま表示部６１に供給して表示部６１を制御し、スルー画像上に通常表示状態のOSD画像を重畳表示させる。
【０１６８】
これにより、例えば図１０の矢印Ｑ２１や矢印Ｑ２３に示したようなスルー画像とOSD画像が表示部６１に表示される。
【０１６９】
ステップＳ４８において、記録制御部１５４は、撮影画像をそのまま記録用画像とする。すなわち、記録制御部１５４は、撮像部１３１から供給された撮影画像の画像データを、そのまま記録用画像の画像データとする。
【０１７０】
ステップＳ４９において、記録制御部１５４は、収音音声をそのまま記録用音声とする。すなわち、記録制御部１５４は、収音部２２から供給された収音音声の音声データを、そのまま記録用音声の音声データとする。
【０１７１】
以上の処理により、例えば図１０の矢印Ｑ２２や矢印Ｑ２４に示したように動画像が再生される記録用画像の画像データおよび記録用音声の音声データが得られる。
【０１７２】
記録用画像の画像データと、記録用音声の音声データとが得られると、記録制御部１５４は、例えばそれらの画像データおよび音声データをリムーバブル記録媒体１３４に供給して記録させる。また、例えば記録用画像の画像データと、記録用音声の音声データは、制御部１３３によって入出力端子１３６を介して外部機器１２２に供給されてもよい。
【０１７３】
そして、適宜、記録用画像の画像データと記録用音声の音声データが記録されるなどすると、撮影処理は終了する。
【０１７４】
以上のようにして撮像装置１１は、フリップ設定がオンであるかオフであるかに応じて、記録用画像と記録用音声を生成する。特に、フリップ設定がオンであるときに撮影画像を上下に反転させて記録用画像とし、収音音声の左右のチャンネルを入れ替えて記録用音声とすることで、撮像装置１１が反転使用状態で使用されているときでも適切に再生される記録用画像および記録用音声を得ることができる。
【０１７５】
〈外部への画像等の出力について〉
また、撮像装置１１で得られた画像や音声を外部機器１２２に出力する場合には、フリップ設定のオン、オフによらず、OSD画像等の各種の画像が通常表示状態で表示され、かつ音声も正しく再生されるように画像や音声の出力が制御される。これは、例えば外部機器１２２のディスプレイが上下逆さまにして使用されることは殆どないからである。
【０１７６】
そこで、撮像装置１１は、OSD画像やメニュー画面を外部機器１２２に表示させる際には、それらのOSD画像やメニュー画面等のデータをそのまま外部機器１２２に出力して通常表示状態で表示されるようにする。また、撮像装置１１は、記録用画像の画像データや記録用音声の音声データをそのまま外部機器１２２に出力して、正しく動画像が再生されるようにする。
【０１７７】
したがって、例えば図１３の矢印Ｑ４１に示すようにフリップ設定がオフであるときに、通常使用状態で動画像の撮影を行い、得られた記録用画像および記録用音声とOSD画像とを外部機器１２２に出力して表示させるとする。
【０１７８】
この場合、矢印Ｑ４１に示すように撮像装置１１では、OSD画像やスルー画像はユーザに対して真っすぐに見える状態となる。
【０１７９】
また、この場合、矢印Ｑ４２に示すように外部機器１２２を構成するディスプレイである表示部１８１では、OSD画像と記録用画像がユーザに対して真っすぐに見える状態となる。すなわち、記録用画像では、ユーザが実際の被写体を見ているのと同じように被写体が表示されることになる。
【０１８０】
これに対して、例えば矢印Ｑ４３に示すようにフリップ設定がオフであるときに反転使用状態で動画像の撮影を行い、得られた記録用画像および記録用音声とOSD画像とを外部機器１２２に出力して表示させるとする。
【０１８１】
この場合、矢印Ｑ４３に示すように撮像装置１１では、スルー画像上の被写体はユーザが実際の被写体を見ているのと同じように表示されるが、OSD画像がユーザから見て上下逆さまに表示されることになる。
【０１８２】
また、この場合、矢印Ｑ４４に示すように外部機器１２２の表示部１８１では、OSD画像はユーザに対して真っすぐに見えるように表示されているが、記録用画像ではユーザが実際に被写体を見ていたのと上下逆さまの状態で被写体が表示されることになる。
【０１８３】
一方、例えば図１４の矢印Ｑ５１に示すようにフリップ設定がオンであるときに、通常使用状態で動画像の撮影を行い、得られた記録用画像および記録用音声とOSD画像とを外部機器１２２に出力して表示させるとする。
【０１８４】
この場合、矢印Ｑ５１に示すように撮像装置１１では、スルー画像上の被写体はユーザが実際の被写体を見ているのと同じように表示されるが、OSD画像がユーザから見て上下逆さまに表示されることになる。
【０１８５】
また、この場合、矢印Ｑ５２に示すように外部機器１２２の表示部１８１では、OSD画像はユーザに対して真っすぐに見えるように表示されているが、記録用画像ではユーザが実際に被写体を見ていたのと上下逆さまの状態で被写体が表示されることになる。
【０１８６】
これに対して、例えば矢印Ｑ５３に示すようにフリップ設定がオンであるときに反転使用状態で動画像の撮影を行い、得られた記録用画像および記録用音声とOSD画像とを外部機器１２２に出力して表示させるとする。
【０１８７】
この場合、矢印Ｑ５３に示すように撮像装置１１では、OSD画像やスルー画像はユーザに対して真っすぐに見える状態となる。
【０１８８】
また、この場合、矢印Ｑ５４に示すように外部機器１２２の表示部１８１では、OSD画像と記録用画像がユーザに対して真っすぐに見える状態となる。すなわち、記録用画像では、ユーザが実際の被写体を見ているのと同じように被写体が表示されることになる。
【０１８９】
このように記録用画像や記録用音声を外部機器１２２に出力すれば、撮像装置１１において正しい使用状態で撮影が行われたときには、外部機器１２２ではOSD画像や記録用画像が真っすぐに見える状態で表示され、記録用音声も正しく再生可能となる。
【０１９０】
ここで、以上において説明したように撮像装置１１がOSD画像と、記録用画像および記録用音声とを外部機器１２２に出力する処理について説明する。すなわち、以下、図１５のフローチャートを参照して、撮像装置１１による出力処理について説明する。
【０１９１】
この出力処理は、例えば撮像装置１１による動画像の撮影中、すなわち図１２を参照して説明した撮影処理の実行中や、撮影後、リムーバブル記録媒体１３４に記録した動画像、すなわち記録用画像と記録用音声を外部機器１２２で再生するときなどに行われる。
【０１９２】
ステップＳ８１において、制御部１３３は、OSD画像生成部１５２により生成されたOSD画像の画像データを、そのまま入出力端子１３６を介して外部機器１２２に出力する。これにより、外部機器１２２では、OSD画像が真っすぐに見えるように表示される。
【０１９３】
ステップＳ８２において、制御部１３３は、記録用画像の画像データおよび記録用音声の音声データを、そのまま入出力端子１３６を介して外部機器１２２に出力し、出力処理は終了する。
【０１９４】
例えば動画像の撮影中であれば、ステップＳ８２では図１２のステップＳ４５とステップＳ４６の処理、または図１２のステップＳ４８とステップＳ４９の処理で得られた記録用画像の画像データおよび記録用音声の音声データが外部機器１２２に出力される。
【０１９５】
また、例えば動画像の撮影中でなければ、リムーバブル記録媒体１３４から読み出された記録用画像の画像データおよび記録用音声の音声データが外部機器１２２に出力される。
【０１９６】
外部機器１２２に供給された記録用画像の画像データおよび記録用音声の音声データは、外部機器１２２に記録されたり、外部機器１２２で再生処理に用いられたりする。したがって、例えば記録用画像が表示部１８１に表示される場合には、図１３の矢印Ｑ４２や矢印Ｑ４４に示した例、図１４の矢印Ｑ５２や矢印Ｑ５４に示した例のように、フリップ設定と撮像装置１１の使用状態に応じて被写体の向きが変わる。
【０１９７】
以上のようにして撮像装置１１は、フリップ設定のオン、オフによらず、OSD画像、記録用画像、および記録用音声をそのまま外部機器１２２に出力する。
【０１９８】
したがって、撮像装置１１において正しい使用状態で撮影が行われたときには、例えば動画像の撮影中に被写体の画像を外部機器１２２の表示部１８１に表示させて画角等を確認する場合などにおいて、外部機器１２２ではOSD画像や記録用画像が真っすぐに見える状態で表示され、記録用音声も正しく再生可能となる。これにより、使い勝手を向上させることができる。
【０１９９】
〈方向キーの操作について〉
また、撮像装置１１では、フリップ設定のオン、オフによって操作部１３２としての方向キーの挙動が異なる。
【０２００】
すなわち、フリップ設定がオフの状態では、上ボタン６３には上方向操作機能とDISP機能とが割り当てられており、下ボタン６４には下方向操作機能と他の選択された機能とが割り当てられている。なお、以下では下ボタン６４には他の選択された機能として再生機能が割り当てられているものとする。
【０２０１】
これが、フリップ設定がオンの状態とされると、互いに相反する方向に関係付けられた上ボタン６３と下ボタン６４との割り当て機能が入れ替えられる。
【０２０２】
すなわち、フリップ設定がオンの状態では、上ボタン６３には下方向操作機能と再生機能とが割り当てられた状態となり、下ボタン６４には上方向操作機能とDISP機能とが割り当てられた状態となる。
【０２０３】
この場合、例えば図３に示したように上ボタン６３の近傍には文字「DISP」が印字されているが、上ボタン６３が操作されるとDISP機能ではなく、再生機能を実現する処理が実行されることになる。すなわち、フリップ設定がオンとされている場合には、文字「DISP」の近傍に設けられた上ボタン６３が操作されても、制御部１３３は、その文字「DISP」により表されるDISP機能を実現する処理は行わず、DISP機能を実現する処理とは異なる再生機能を実現する処理を行う。
【０２０４】
また、フリップ設定がオフの状態では、左ボタン６５には左方向操作機能と他の選択された機能とが割り当てられており、右ボタン６６には右方向操作機能とFn機能とが割り当てられている。なお、以下では左ボタン６５には他の選択された機能としてWB設定機能が割り当てられているものとする。
【０２０５】
これが、フリップ設定がオンの状態とされると、互いに相反する方向に関係付けられた左ボタン６５と右ボタン６６との割り当て機能が入れ替えられる。
【０２０６】
すなわち、フリップ設定がオンの状態では、左ボタン６５には右方向操作機能とFn機能とが割り当てられた状態となり、右ボタン６６には左方向操作機能とWB設定機能とが割り当てられた状態となる。
【０２０７】
この場合、例えば図３に示したように右ボタン６６の近傍には文字「Fn」が印字されているが、右ボタン６６が操作されるとFn機能ではなく、WB設定機能を実現する処理が実行されることになる。つまり、右ボタン６６が操作されてもFn機能を実現する処理は行われない。
【０２０８】
このように方向に関係付けられた方向キーについては、フリップ設定がオンとされると互いに相反する方向に関係付けられた方向キー間で、つまり所定方向に関係付けられた方向キーと、所定方向とは反対方向に関係付けられた方向キーとの間で、それらの方向キーに割り当てられた機能が入れ替えられる。換言すれば、機能の割り当て先が変更される。
【０２０９】
このとき、例えば上方向操作機能など、方向に関係付けられた機能、つまり方向に関係付けられた操作を実現する機能だけでなく、DISP機能やFn機能、WB設定機能などの方向に関係付けられていない機能についても割り当ての入れ替えが行われる。
【０２１０】
さらに、方向と関係付けられていないボタン（キー）については、フリップ設定がオンであってもオフであっても、そのボタンに対する割り当て機能は同じとされる。
【０２１１】
例えばメニューボタン６７や電源ボタン４１、シャッタボタン４２は方向に関係付けられていないボタン（操作部）であり、これらのボタンに関しては、フリップ設定がオンであるかオフであるかによらず割り当て機能の入れ替えは行われない。すなわち、メニューボタン６７等の方向に関係付けられていない操作部では割り当て機能は変化しない。
【０２１２】
したがって、例えばフリップ設定のオン、オフに関わらず、メニューボタン６７にはメニュー表示機能が割り当てられた状態となっている。
【０２１３】
以上のように、フリップ設定がオンの状態のときに互いに相反する方向の方向キーの割り当て機能を入れ替えることで、ユーザが反転使用状態で撮像装置１１を使用するときに、通常使用状態で使用するときと同じ操作感覚でキー操作を行うことができる。これにより、撮像装置１１の使い勝手を向上させることができる。
【０２１４】
したがってフリップ設定のオン、オフや、撮像装置１１の使用状態によって、例えば図１６および図１７に示すように方向キーを操作したときの撮像装置１１の挙動が変化する。
【０２１５】
なお、図１６および図１７において図３における場合と対応する部分には同一の符号を付してあり、その説明は適宜省略する。また、図１６および図１７において、矢印Ｕ、矢印Ｄ、矢印Ｌ、および矢印Ｒは、それぞれ画面上方向、画面下方向、画面左方向、および画面右方向を示している。
【０２１６】
例えばフリップ設定がオフであるときに、図１６の矢印Ｑ６１に示すようにユーザが通常使用状態で方向キーを操作すると、初期設定での各方向キーへの機能の割り当て通り、かつユーザから見た通りの方向への操作が行われる。ここで、初期設定での各方向キーへの機能の割り当てとは、フリップ設定がオフである状態での機能の割り当てをいう。
【０２１７】
上ボタン６３、下ボタン６４、左ボタン６５、および右ボタン６６のそれぞれが操作されると、図１６中の上方向、下方向、左方向、および右方向への操作が行われる。そして、矢印Ｑ６１に示す例では図中の上方向、下方向、左方向、および右方向は、それぞれ画面上方向、画面下方向、画面左方向、および画面右方向となっている。
【０２１８】
したがって、例えば表示部６１にカーソルが表示されている状態でユーザが上ボタン６３を操作すると、そのカーソルが上ボタン６３に印字された矢印の方向である図中、上方向へと移動する。そして、図中、上方向は表示部６１に表示された画面の上端方向、つまり画面上方向となっている。
【０２１９】
また、例えばフリップ設定がオフであるときに、図１６の矢印Ｑ６２に示すようにユーザが反転使用状態で方向キーを操作すると、初期設定での各方向キーへの機能の割り当て通り、かつユーザから見た通りの方向への操作が行われる。
【０２２０】
すなわち、上ボタン６３、下ボタン６４、左ボタン６５、および右ボタン６６のそれぞれが操作されると図１６中の下方向、上方向、右方向、および左方向への操作が行われる。但し、矢印Ｑ６２に示す例では図中の上方向、下方向、左方向、および右方向は、それぞれ画面下方向、画面上方向、画面右方向、および画面左方向となっている。
【０２２１】
したがって、例えば表示部６１にカーソルが表示されている状態でユーザが上ボタン６３を操作すると、そのカーソルが上ボタン６３に印字された矢印の方向である図中、下方向へと移動する。そして、矢印Ｑ６２に示す例では図中、下方向は表示部６１に表示された画面の上端方向、つまり画面上方向となっている。
【０２２２】
また、フリップ設定がオンであるときには、上ボタン６３と下ボタン６４の割り当て機能、および左ボタン６５と右ボタン６６の割り当て機能が入れ替えられた状態となる。
【０２２３】
そのため、例えばフリップ設定がオンであるときに、図１７の矢印Ｑ７１に示すようにユーザが通常使用状態で方向キーを操作すると、各方向キーへの機能の割り当てはフリップ設定がオフのときとは異なるが、ユーザから見た通りの方向への操作が行われる。
【０２２４】
すなわち、上ボタン６３、下ボタン６４、左ボタン６５、および右ボタン６６のそれぞれが操作されると、図１７中の上方向、下方向、左方向、および右方向への操作が行われる。そして、矢印Ｑ７１に示す例では図中の上方向、下方向、左方向、および右方向は、それぞれ画面下方向、画面上方向、画面右方向、および画面左方向となっている。
【０２２５】
したがって、例えば表示部６１にカーソルが表示されている状態でユーザが上ボタン６３を操作すると、そのカーソルが上ボタン６３に印字された矢印の方向である図中、上方向へと移動する。但し、図中、上方向は表示部６１に表示された画面の下端方向、つまり画面下方向となっている。
【０２２６】
このようにフリップ設定がオンとされると、上方向に関係付けられた上ボタン６３には、表示画面を基準として上方向とは反対方向である下方向、つまり画面下方向に関係付けられた操作の機能が割り当てられ、他の方向キーも同様にして機能の割り当てがなされる。
【０２２７】
また、例えばフリップ設定がオンであるときに、図１７の矢印Ｑ７２に示すようにユーザが反転使用状態で方向キーを操作すると、各方向キーへの機能の割り当てはフリップ設定がオフのときとは異なるが、ユーザから見た通りの方向への操作が行われる。
【０２２８】
すなわち、上ボタン６３、下ボタン６４、左ボタン６５、および右ボタン６６のそれぞれが操作されると図１７中の下方向、上方向、右方向、および左方向への操作が行われる。但し、矢印Ｑ７２に示す例では図中の上方向、下方向、左方向、および右方向は、それぞれ画面上方向、画面下方向、画面左方向、および画面右方向となっている。
【０２２９】
したがって、例えば表示部６１にカーソルが表示されている状態でユーザが上ボタン６３を操作すると、そのカーソルが上ボタン６３に印字された矢印の方向である図中、下方向へと移動する。そして、矢印Ｑ７２に示す例では図中、下方向は表示部６１に表示された画面の下端方向、つまり画面下方向となっている。
【０２３０】
このようにフリップ設定がオンとなっている状態では方向キーに割り当てられる機能が入れ替えられる。
【０２３１】
そのため、ユーザが方向キーを操作したときに行われる操作の方向は、メニュー画面や記録用画像等の画面を基準とすると、その方向キーに関係付けられた方向とは反対方向となる。すなわち、例えば上方向に関係付けられた上ボタン６３を操作すると、表示画面を基準として下方向、つまり画面下方向に関する操作が行われることになる。
【０２３２】
しかし、フリップ設定がオンとされている場合には、表示画面は上下方向に反転されて表示されているため、つまり表示方向が上下に反転しているため、ユーザが方向キーを操作したときに、その方向キーに印字された矢印の方向への操作が行われることになる。つまり、ユーザが見た通りの方向へと操作が行われる。
【０２３３】
したがって、ユーザはフリップ設定がオフのときと同様の操作感覚で操作を行うことができ、撮像装置１１の使い勝手を向上させることができる。
【０２３４】
また、フリップ設定がオンとなっている状態では、方向に関係付けられていない操作の機能についても、方向キー間で割り当て機能の入れ替えが行われる。
【０２３５】
そのため、ユーザはフリップ設定をオンとして反転使用状態で撮像装置１１を使用したときでも、フリップ設定をオフとして通常使用状態で撮像装置１１を使用するときと同じ操作感覚で操作を行うことができ、さらに使い勝手を向上させることができる。
【０２３６】
具体的には、例えば図１６の矢印Ｑ６１に示した例のようにフリップ設定がオフであり、通常使用状態である場合、動画像の撮影中や記録用画像の再生中に、ユーザから見て上方向の矢印が印字された上ボタン６３を操作するとDISP機能が実行される。
【０２３７】
すなわち、DISP機能が割り当てられた上ボタン６３がユーザによって操作されると、撮像装置１１の表示部６１における表示は、図１８乃至図２０のように切り替えられる。
【０２３８】
例えば図１８に示す例では、撮影モードやバッテリ残量などの必要最低限の情報が表示されるOSD画像が表示部６１に表示された状態となっている。
【０２３９】
また、図１９に示す例では、測光モードやホワイトバランス調整の設定など、図１８に示したOSD画像と比較して、より多くの情報が表示されるOSD画像が表示部６１に表示された状態となっている。
【０２４０】
さらに、図２０に示す例では、図１８に示したOSD画像と同様の必要最低限の情報に加えて、さらにスルー画像または記録用画像の輝度のヒストグラムを含むいくつかの情報が表示されるOSD画像が表示部６１に表示された状態となっている。
【０２４１】
ユーザがDISP機能の割り当てられた上ボタン６３を操作するたびに、表示部６１の表示が例えば図１８に示した表示から図１９に示した表示へと切り替えられ、さらに図２０に示した表示へと切り替えられるなど、表示の切り替えが行われる。
【０２４２】
このとき、DISP機能が割り当てられた上ボタン６３近傍には文字「DISP」が印字されているため、ユーザは容易に表示の切り替えを行うことができる。
【０２４３】
これに対して、例えば図１７の矢印Ｑ７２に示した例のようにフリップ設定がオンであり、反転使用状態である場合、動画像の撮影中や記録用画像の再生中に、ユーザから見て上方向の矢印が印字された下ボタン６４を操作するとDISP機能が実行される。
【０２４４】
このようにフリップ設定がオンであるかオフであるかによって、DISP機能が割り当てられる方向キー（ボタン）は異なる。しかし、何れの場合であってもフリップ設定に対して想定された使用状態で撮像装置１１を使用しているユーザからすれば、自身から見て上方向の矢印が印字された方向キーを操作すれば、DISP機能を実行させることができる。すなわち、フリップ設定によらず、同じ操作感覚で操作を行うことができる。
【０２４５】
DISP機能と同様に、再生機能についてもユーザはフリップ設定がオンであるかオフであるかによらず、同じ操作感覚で操作を行うことができる。
【０２４６】
すなわち、例えば図１６の矢印Ｑ６１に示した例のようにフリップ設定がオフであり、通常使用状態である場合、ユーザは自身から見て下方向の矢印が印字された下ボタン６４を操作することで、再生機能の実行を指示することができる。
【０２４７】
これに対して、例えば図１７の矢印Ｑ７２に示した例のようにフリップ設定がオンであり、反転使用状態である場合、ユーザは自身から見て下方向の矢印が印字された上ボタン６３を操作することで、再生機能の実行を指示することができる。
【０２４８】
また、上ボタン６３と下ボタン６４の操作だけでなく、左ボタン６５と右ボタン６６についても、フリップ設定によらずユーザは同様の操作感覚で操作を行うことができる。
【０２４９】
すなわち、例えば図１６の矢印Ｑ６１に示した例のようにフリップ設定がオフであり、通常使用状態であるとき、動画像の撮影中にユーザが右ボタン６６を操作すると、その右ボタン６６に割り当てられたFn機能が実行される。
【０２５０】
具体的には右ボタン６６が操作されると、例えば表示部６１には図２１に示す機能設定画面が表示される。この例では、機能設定画面において撮影モードや露出、ISO感度、測光モード、ホワイトバランス調整などの各種の設定を行うことができる。
【０２５１】
これに対して、例えば図１７の矢印Ｑ７２に示した例のようにフリップ設定がオンであり、反転使用状態であるときには、ユーザは左ボタン６５を操作することで、表示部６１に図２１に示した機能設定画面を表示させることができる。すなわち、Fn機能を実行させることができる。
【０２５２】
このようにフリップ設定がオンであるかオフであるかによらず、ユーザは自身から見て右方向の矢印が印字された方向キー（ボタン）を操作することで、Fn機能の実行を指示することができる。
【０２５３】
さらに、例えば図１６の矢印Ｑ６１に示した例のようにフリップ設定がオフであり、通常使用状態であるとき、動画像の撮影中などにユーザが左ボタン６５を操作すると、その左ボタン６５に割り当てられたWB設定機能が実行される。
【０２５４】
具体的には左ボタン６５が操作されると、例えば表示部６１には図２２に示すWB設定画面が表示される。この例では、WB設定画面において晴天や蛍光灯、自動など、ホワイトバランス調整を行う際の撮影環境を設定することができる。
【０２５５】
これに対して、例えば図１７の矢印Ｑ７２に示した例のようにフリップ設定がオンであり、反転使用状態であるときには、ユーザは右ボタン６６を操作することで、表示部６１に図２２に示したWB設定画面を表示させることができる。すなわち、WB設定機能を実行させることができる。但し、この場合にはフリップ設定がオンであるので、WB設定画面は反転表示状態で表示される。
【０２５６】
このようにフリップ設定がオンであるかオフであるかによらず、ユーザは自身から見て左方向の矢印が印字された方向キー（ボタン）を操作することで、WB設定機能の実行を指示することができる。
【０２５７】
さらに、上述したようにメニューボタン６７等の方向に関係付けられていないボタンについては、フリップ設定をオンとしても割り当て機能の入れ替えは行われない。
【０２５８】
そのため、フリップ設定がオンであってもオフであっても、ユーザによりメニューボタン６７が操作されると、表示部６１には例えば図２３に示すメニュー画面が表示される。
【０２５９】
ユーザは、このようにして表示されたメニュー画面に対して選択や決定等の操作を行うことで、各種の設定を行うことができる。例えば図２３に示す例では、ユーザは記録用画像の品質に関する設定や、記録用画像のサイズに関する設定などを行うことができる。
【０２６０】
ここで、以上において説明したように方向キーが操作されたときに、撮像装置１１がその操作に応じた処理を実行するキー操作処理について説明する。すなわち、以下、図２４のフローチャートを参照して、撮像装置１１によるキー操作処理について説明する。
【０２６１】
このキー操作処理は、例えばユーザにより撮像装置１１の方向キーが操作されたときに開始される。ユーザにより操作部１３２としての方向キーが操作されると、操作部１３２から制御部１３３には、ユーザの操作に応じた信号が供給される。
【０２６２】
ステップＳ１１１において、制御部１３３は、設定部１５１に記録されているフリップ設定情報に基づいて、フリップ設定がオンであるか否かを判定する。
【０２６３】
ステップＳ１１１においてフリップ設定がオンであると判定された場合、処理はステップＳ１１２へと進む。
【０２６４】
ステップＳ１１２において、制御部１３３は、操作部１３２から供給されたユーザの操作に応じた信号と、ステップＳ１１１における判定結果とに基づいて、操作された方向キーの方向とは反対方向の方向キーに対して予め割り当てられた機能を実現する処理を行う。ここで、予め割り当てられた機能とは、初期設定の状態、つまりフリップ設定がオフである状態で割り当てられている機能である。
【０２６５】
換言すれば、制御部１３３はステップＳ１１２において、ステップＳ１１１における判定結果に応じて方向キーの割り当て機能の入れ替えを行う。さらに制御部１３３は、操作部１３２から供給された信号に基づいて、ユーザにより操作された方向キーに対して、割り当て機能の入れ替え後に割り当てられている機能を実現する処理を行う。
【０２６６】
したがって、例えば表示部６１にメニュー画面が表示されている状態で、ユーザにより上ボタン６３が操作されたとする。
【０２６７】
この場合、制御部１３３は、ユーザにより操作された上ボタン６３に関係付けられた上方向とは反対方向である下方向に関係付けられた下ボタン６４を特定し、フリップ設定がオフである状態で下ボタン６４に対して割り当てられている下方向操作機能を実現する処理を行う。すなわち、制御部１３３の表示制御部１５３は表示部６１を制御して、メニュー画面に表示されているカーソルを、画面下方向へと移動させる。
【０２６８】
フリップ設定がオンであるときには、操作された方向キーの方向とは反対方向の方向キーに対して、フリップ設定がオフである状態で割り当てられた機能の処理を行うことで、フリップ設定がオンであるときの割り当てに従った機能の処理を行うことができる。
【０２６９】
このようにして方向キーの操作に応じた処理が行われると、キー操作処理は終了する。
【０２７０】
一方、ステップＳ１１１においてフリップ設定がオンでない、つまりフリップ設定がオフであると判定された場合、処理はステップＳ１１３へと進む。
【０２７１】
ステップＳ１１３において、制御部１３３は、操作部１３２から供給されたユーザの操作に応じた信号と、ステップＳ１１１における判定結果とに基づいて、操作された方向キーに対して予め割り当てられた機能を実現する処理を行い、キー操作処理は終了する。
【０２７２】
この場合、制御部１３３は、操作された方向キーに対してフリップ設定がオフである状態で割り当てられている機能の処理を行う。したがって、例えば表示部６１にメニュー画面が表示されている状態でユーザにより上ボタン６３が操作されたとすると、制御部１３３の表示制御部１５３は、表示部６１を制御して、メニュー画面に表示されているカーソルを画面上方向へと移動させる。
【０２７３】
以上のようにして、撮像装置１１はフリップ設定と、方向キーに対して予め割り当てられた機能とに基づいて方向キーの操作に応じた処理を行う。すなわち、撮像装置１１はフリップ設定に応じて方向キーの機能の入れ替えを行って、方向キーの操作に応じた処理を行う。このようにすることで、フリップ設定によらずユーザに対して同じ操作感覚で操作を行わせることができ、撮像装置１１の使い勝手を向上させることができる。
【０２７４】
なお、以上においては、互いに相反する方向に関係付けられた方向キー同士で割り当てられた機能を入れ替える例について説明した。これは撮像装置１１が反転使用状態で使用されることを想定しているからである。
【０２７５】
しかし、例えば撮像装置１１の光軸を回転軸として、撮像装置１１を時計回りまたは反時計回りに９０度回転させて使用するようなことも考えられ、そのような使用を想定した設定をフリップ設定により行うことができるようにしてもよい。
【０２７６】
そのような場合、例えば撮像装置１１を９０度回転させて使用することを想定するときには、例えば右ボタン６６に予め割り当てられていた機能を上ボタン６３に割り当て、下ボタン６４に予め割り当てられていた機能を右ボタン６６に割り当てるなどしてもよい。つまり、所定方向に関係付けられた方向キーに対して予め割り当てられていた機能が、所定方向と９０度等の所定の角度をなす方向に関係付けられた方向キーに対して割り当てられるようにしてもよい。このように４つの方向キー間で割り当て機能の入れ替えを行うことで、撮像装置１１を９０度回転させて使用する場合にも通常使用状態のときと同様の操作感覚で操作を行わせることができる。
【０２７７】
〈遠隔操作器での操作について〉
ところで、ユーザが外部の機器である遠隔操作器１２１で撮像装置１１を遠隔操作する場合、ユーザは表示部６１に表示されたメニュー画面等を見ながら遠隔操作器１２１を操作する。
【０２７８】
このとき、ユーザによる遠隔操作器１２１への操作に応じたコマンドが、遠隔操作器１２１から撮像装置１１へと送信されるが、撮像装置１１はフリップ設定がオンであるかオフであるかによらず、遠隔操作器１２１から受信したコマンドをそのまま実行する。
【０２７９】
例えば、図２５に示すように遠隔操作器１２１に上ボタン２１１、下ボタン２１２、左ボタン２１３、および右ボタン２１４が設けられているとする。なお、図２５は、遠隔操作器１２１の外観の構成例を示している。
【０２８０】
上ボタン２１１は、上方向操作機能とDISP機能が割り当てられたボタンであり、撮像装置１１の上ボタン６３に対応する。
【０２８１】
また、下ボタン２１２は、下方向操作機能と他の選択された機能が割り当てられたボタンであり、撮像装置１１の下ボタン６４に対応する。ここでは、下ボタン２１２には、他の選択された機能として再生機能が割り当てられているものとする。
【０２８２】
左ボタン２１３は、左方向操作機能と他の選択された機能が割り当てられたボタンであり、撮像装置１１の左ボタン６５に対応する。ここでは、左ボタン２１３には、他の選択された機能としてWB設定機能が割り当てられているものとする。
【０２８３】
右ボタン２１４は、右方向操作機能とFn機能が割り当てられたボタンであり、撮像装置１１の右ボタン６６に対応する。
【０２８４】
これらの上ボタン２１１、下ボタン２１２、左ボタン２１３、および右ボタン２１４は、撮像装置１１の方向キーと同様に、それぞれ上方向、下方向、左方向、および右方向の各方向に関係付けられたボタン（方向キー）である。
【０２８５】
特に遠隔操作器１２１では、ユーザから見て上ボタン２１１、下ボタン２１２、左ボタン２１３、および右ボタン２１４が上下左右に配置されているので、その配置位置から各ボタン（方向キー）がどの方向に関係付けられているかを直感的に知ることができる。
【０２８６】
例えば図１６の矢印Ｑ６１に示したようにフリップ設定がオフであり、撮像装置１１の使用状態が通常使用状態であるときにユーザが遠隔操作器１２１の方向キーを操作したとする。この場合、方向キーへの機能の割り当て通りで、かつユーザから見た通りの方向への操作が行われる。
【０２８７】
すなわち、上ボタン２１１、下ボタン２１２、左ボタン２１３、および右ボタン２１４のそれぞれが操作されると、図１６中の上方向、下方向、左方向、および右方向への操作が行われる。矢印Ｑ６１に示す例では図中の上方向、下方向、左方向、および右方向は、それぞれ画面上方向、画面下方向、画面左方向、および画面右方向となっている。
【０２８８】
また、例えば図１６の矢印Ｑ６２に示したようにフリップ設定がオフであり、撮像装置１１の使用状態が反転使用状態であるときにユーザが遠隔操作器１２１の方向キーを操作すると、方向キーへの機能の割り当て通りであるが、ユーザから見ると逆方向への操作が行われる。
【０２８９】
すなわち、上ボタン２１１、下ボタン２１２、左ボタン２１３、および右ボタン２１４のそれぞれが操作されると図１６中の下方向、上方向、右方向、および左方向への操作が行われる。このように矢印Ｑ６２に示す例では、ユーザによる方向キーの操作に対してユーザから見て逆の方向への操作が行われているように見える。
【０２９０】
しかし、矢印Ｑ６２に示す例では図中の上方向、下方向、左方向、および右方向は、それぞれ画面下方向、画面上方向、画面右方向、および画面左方向となっているので、実際には遠隔操作器１２１に対する操作通りに処理が行われている。
【０２９１】
同様に、例えば図１７の矢印Ｑ７１に示したようにフリップ設定がオンであり、撮像装置１１の使用状態が通常使用状態であるときにユーザが遠隔操作器１２１の方向キーを操作すると、方向キーへの機能の割り当て通りであるが、ユーザから見ると逆方向への操作が行われる。
【０２９２】
すなわち、上ボタン２１１、下ボタン２１２、左ボタン２１３、および右ボタン２１４のそれぞれが操作されると図１７中の下方向、上方向、右方向、および左方向への操作が行われる。
【０２９３】
これに対して、例えば図１７の矢印Ｑ７２に示したようにフリップ設定がオンであり、撮像装置１１の使用状態が反転使用状態であるときにユーザが遠隔操作器１２１の方向キーを操作すると、方向キーへの機能の割り当て通りで、かつユーザから見た通りの方向への操作が行われる。
【０２９４】
すなわち、上ボタン２１１、下ボタン２１２、左ボタン２１３、および右ボタン２１４のそれぞれが操作されると、図１７中の上方向、下方向、左方向、および右方向への操作が行われる。矢印Ｑ７２に示す例では図中の上方向、下方向、左方向、および右方向は、それぞれ画面上方向、画面下方向、画面左方向、および画面右方向となっているので、実際にユーザから見た通りで、かつ遠隔操作器１２１に対する操作通りに処理が行われていることになる。
【０２９５】
なお、ここでは表示画面内の方向に関する操作について説明したが、遠隔操作器１２１の方向キーに割り当てられた他の機能についても、機能の入れ替えが行われることはない。したがって、例えば撮影中や再生中にユーザが上ボタン２１１を操作すると、撮像装置１１においてフリップ設定がオンであるかオフであるかによらず、DISP機能を実現するための処理が行われることになる。
【０２９６】
以上のように遠隔操作器１２１に対する操作については、撮像装置１１本体の方向キーのように方向の反転等の機能の入れ替えを行わないようにすることで、フリップ設定によらず、ユーザに同じ操作感覚で操作を行わせることができる。
【０２９７】
すなわち、フリップ設定に対して想定された使用状態で撮像装置１１を使用しているユーザからすればフリップ設定のオン、オフによらず、遠隔操作器１２１の方向キーを操作したときに、撮像装置１１ではその方向キーの方向への操作がなされる。したがって、ユーザに対して違和感なく操作を行わせることができ、使い勝手を向上させることができる。
【０２９８】
例えば撮像装置１１自体については、フリップ設定がオンであるときには反転使用状態での使用が想定されているため、つまり撮像装置１１の上下逆さの状態での使用が想定されているため、互いに相反する方向の方向キー間で割り当て機能を入れ替えた方が使い勝手がよい。
【０２９９】
これに対して遠隔操作器１２１については、フリップ設定がオンであってもオフであってもユーザが遠隔操作器１２１を上下逆さにして使用することはないため、遠隔操作器１２１の方向キーに割り当てられた機能を入れ替えない方が使い勝手がよい。
【０３００】
しかも、この場合、撮像装置１１においてフリップ設定情報を参照すれば、メニュー画面や記録用画像等の表示について画面内の上下左右の方向を特定することができるので、その特定結果から遠隔操作器１２１のコマンドを正しく実行することができる。
【０３０１】
このように撮像装置１１側においてフリップ設定情報を参照してコマンドを実行することで、遠隔操作器１２１側ではフリップ設定のオン、オフを気にすることなく操作を行うことができる。
【０３０２】
なお、ここでは遠隔操作器１２１の方向キーを操作したときの撮像装置１１の挙動について説明したが、外部機器用遠隔操作器１２３により撮像装置１１を遠隔操作する場合であっても、撮像装置１１の挙動は遠隔操作器１２１を操作する場合と同様である。
【０３０３】
このような場合、例えば外部機器１２２の表示部１８１に、撮像装置１１の表示制御部１５３から入出力端子１３６を介して供給されたメニュー画面や記録用画像が表示される。そして、ユーザはメニュー画面等が表示された表示部１８１を見ながら外部機器用遠隔操作器１２３の方向キー等に対する操作を行う。
【０３０４】
すると、外部機器用遠隔操作器１２３からは、ユーザの操作に応じたコマンドが送信されて、このコマンドが外部機器１２２により受信される。外部機器１２２は、このようにして外部機器用遠隔操作器１２３から受信したコマンドを、入出力端子１３６を介して制御部１３３に供給し、コマンドの供給を受けた制御部１３３はコマンドを実行する。
【０３０５】
このようにしてコマンドが実行されると、表示制御部１５３から入出力端子１３６を介して外部機器１２２の表示部１８１に供給されるメニュー画面等は、コマンドの実行結果が反映されたものとなる。
【０３０６】
ここで、以上において説明したように撮像装置１１が遠隔操作器１２１や外部機器用遠隔操作器１２３から受信したコマンドを実行するコマンド実行処理について説明する。すなわち、以下、図２６のフローチャートを参照して、撮像装置１１によるコマンド実行処理について説明する。なお、コマンド実行処理が行われる場合、撮像装置１１では制御部１３３の表示制御部１５３によって、フリップ設定情報に基づいて表示画面が通常表示状態または反転表示状態で表示されるように制御が行われている状態となっている。
【０３０７】
ステップＳ１４１において、制御部１３３は、外部の機器である遠隔操作器１２１または外部機器用遠隔操作器１２３から出力されたコマンドを取得する。
【０３０８】
例えば制御部１３３は、遠隔操作器１２１により送信され、通信部１３５で受信されたコマンドを通信部１３５から取得する。また、例えば制御部１３３は、外部機器用遠隔操作器１２３から送信されたコマンドを、入出力端子１３６を介して外部機器１２２から取得する。
【０３０９】
ステップＳ１４２において、制御部１３３は、設定部１５１に記録されているフリップ設定情報に基づいて、取得したコマンドにより示される処理を実行し、コマンド実行処理は終了する。すなわち、制御部１３３は、フリップ機能の設定に基づいて、遠隔操作器１２１や外部機器用遠隔操作器１２３から出力されたコマンドを実行する。
【０３１０】
例えば上ボタン２１１等の遠隔操作器１２１を基準とする所定方向に関する操作指示のコマンドが受信された場合には、制御部１３３は、表示画面を基準としてその所定方向に関する操作が行われるように制御する。具体的には、例えばユーザが、遠隔操作器１２１を基準とする上方向に関する操作を指示するための遠隔操作器１２１の上ボタン２１１を操作して、その操作に応じたコマンドが取得され、フリップ設定情報としてフリップ設定がオンである旨の情報が設定部１５１に記録されているとする。
【０３１１】
この場合、制御部１３３の表示制御部１５３は、例えば表示部６１にメニュー画面が反転表示状態で表示されている状態であれば、そのメニュー画面を基準として、メニュー画面上のカーソルを画面上方向に移動させて、カーソルによりメニュー項目を選択させる処理を、コマンドにより示される処理として実行する。このとき表示制御部１５３は、フリップ設定情報を参照することで、撮像装置１１の底面側の方向が画面上方向であることを特定することができるので、コマンドにより指示された正しい方向にカーソルを移動させることができる。
【０３１２】
また、例えばユーザが遠隔操作器１２１の上ボタン２１１を操作して、その操作に応じたコマンドが取得され、フリップ設定情報としてフリップ設定がオフである旨の情報が設定部１５１に記録されているとする。
【０３１３】
この場合、制御部１３３の表示制御部１５３は、例えば表示部６１にメニュー画面が通常表示状態で表示されている状態であれば、そのメニュー画面を基準として、メニュー画面上のカーソルを画面上方向に移動させて、カーソルによりメニュー項目を選択させる処理を、コマンドにより示される処理として実行する。
【０３１４】
メニュー画面が表示されている場合の他、例えば表示部６１に再生中の画像などが表示されている状態で所定方向に関する操作指示のコマンドが受信されたときには、表示画面を基準としてスクロール操作等、その所定方向に関する操作が行われるように制御される。
【０３１５】
さらに、例えばユーザが遠隔操作器１２１の上ボタン２１１を操作して、その操作に応じたコマンドが取得されたとする。この場合、制御部１３３の表示制御部１５３は、例えば動画像の撮影中や記録用画像の再生中であれば、表示部６１を制御してDISP機能を実現するための処理を、コマンドにより示される処理として実行する。具体的には、例えば図１８乃至図２０を参照して説明した表示を切り替える処理がDISP機能を実現するための処理として行われる。
【０３１６】
このように制御部１３３は、例えば上方向操作機能など、所定方向に関係付けられた操作、つまり所定方向に関する操作を指示するコマンドが取得された場合には、フリップ設定情報を参照して表示画面が上下方向に反転されて表示されているかなどを特定する。そして、制御部１３３は、表示画面を基準として、その所定方向に対する操作が行われるように、つまり表示画面を基準として所定方向に関する操作が行われるように、取得したコマンドを実行する。
【０３１７】
これに対し、制御部１３３は、例えばDISP機能など、方向に関係付けられていない操作を指示するコマンドが取得された場合には、フリップ設定がオンであるかオフであるかによらず、方向に関係付けられていない操作が行われるようにコマンドをそのまま実行する。すなわち、方向に関係付けられていない操作が行われるように制御が行われる。
【０３１８】
以上のように撮像装置１１は、遠隔操作器１２１や外部機器用遠隔操作器１２３から出力されたコマンドを取得し、フリップ設定情報に基づいてコマンドを実行する。
【０３１９】
このようにフリップ設定情報に基づいてコマンドを実行することで、遠隔操作器１２１や外部機器用遠隔操作器１２３では、フリップ設定のオン、オフを気にすることなく操作を行うことができ、使い勝手を向上させることができる。
【０３２０】
〈コンピュータの構成例〉
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０３２１】
図２７は、上述した一連の処理をプログラムにより実行するコンピュータのハードウェアの構成例を示すブロック図である。
【０３２２】
コンピュータにおいて、CPU（Central Processing Unit）５０１，ROM（Read Only Memory）５０２，RAM（Random Access Memory）５０３は、バス５０４により相互に接続されている。
【０３２３】
バス５０４には、さらに、入出力インターフェース５０５が接続されている。入出力インターフェース５０５には、入力部５０６、出力部５０７、記録部５０８、通信部５０９、及びドライブ５１０が接続されている。
【０３２４】
入力部５０６は、入力スイッチ、ボタン、マイクロホン、撮像素子などよりなる。出力部５０７は、ディスプレイ、スピーカなどよりなる。記録部５０８は、ハードディスクや不揮発性のメモリなどよりなる。通信部５０９は、ネットワークインターフェースなどよりなる。ドライブ５１０は、磁気ディスク、光ディスク、光磁気ディスク、又は半導体メモリなどのリムーバブル記録媒体５１１を駆動する。
【０３２５】
以上のように構成されるコンピュータでは、CPU５０１が、例えば、記録部５０８に記録されているプログラムを、入出力インターフェース５０５及びバス５０４を介して、RAM５０３にロードして実行することにより、上述した一連の処理が行われる。
【０３２６】
コンピュータ（CPU５０１）が実行するプログラムは、例えば、パッケージメディア等としてのリムーバブル記録媒体５１１に記録して提供することができる。また、プログラムは、ローカルエリアネットワーク、インターネット、デジタル衛星放送といった、有線または無線の伝送媒体を介して提供することができる。
【０３２７】
コンピュータでは、プログラムは、リムーバブル記録媒体５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ROM５０２や記録部５０８に、あらかじめインストールしておくことができる。
【０３２８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３２９】
また、本技術の実施の形態は、上述した実施の形態に限定されるものではなく、本技術の要旨を逸脱しない範囲において種々の変更が可能である。
【０３３０】
例えば、本技術は、１つの機能をネットワークを介して複数の装置で分担、共同して処理するクラウドコンピューティングの構成をとることができる。
【０３３１】
また、上述のフローチャートで説明した各ステップは、１つの装置で実行する他、複数の装置で分担して実行することができる。
【０３３２】
さらに、１つのステップに複数の処理が含まれる場合には、その１つのステップに含まれる複数の処理は、１つの装置で実行する他、複数の装置で分担して実行することができる。
【０３３３】
＜応用例＞
本開示に係る技術は、様々な製品へ応用することができる。例えば、本開示に係る技術は、内視鏡手術システムに適用されてもよい。
【０３３４】
図２８は、本開示に係る技術が適用され得る内視鏡手術システム５０００の概略的な構成の一例を示す図である。図２８では、術者（医師）５０６７が、内視鏡手術システム５０００を用いて、患者ベッド５０６９上の患者５０７１に手術を行っている様子が図示されている。図示するように、内視鏡手術システム５０００は、内視鏡５００１と、その他の術具５０１７と、内視鏡５００１を支持する支持アーム装置５０２７と、内視鏡下手術のための各種の装置が搭載されたカート５０３７と、から構成される。
【０３３５】
内視鏡手術では、腹壁を切って開腹する代わりに、トロッカ５０２５ａ〜５０２５ｄと呼ばれる筒状の開孔器具が腹壁に複数穿刺される。そして、トロッカ５０２５ａ〜５０２５ｄから、内視鏡５００１の鏡筒５００３や、その他の術具５０１７が患者５０７１の体腔内に挿入される。図示する例では、その他の術具５０１７として、気腹チューブ５０１９、エネルギー処置具５０２１及び鉗子５０２３が、患者５０７１の体腔内に挿入されている。また、エネルギー処置具５０２１は、高周波電流や超音波振動により、組織の切開及び剥離、又は血管の封止等を行う処置具である。ただし、図示する術具５０１７はあくまで一例であり、術具５０１７としては、例えば攝子、レトラクタ等、一般的に内視鏡下手術において用いられる各種の術具が用いられてよい。
【０３３６】
内視鏡５００１によって撮影された患者５０７１の体腔内の術部の画像が、表示装置５０４１に表示される。術者５０６７は、表示装置５０４１に表示された術部の画像をリアルタイムで見ながら、エネルギー処置具５０２１や鉗子５０２３を用いて、例えば患部を切除する等の処置を行う。なお、図示は省略しているが、気腹チューブ５０１９、エネルギー処置具５０２１及び鉗子５０２３は、手術中に、術者５０６７又は助手等によって支持される。
【０３３７】
（支持アーム装置）
支持アーム装置５０２７は、ベース部５０２９から延伸するアーム部５０３１を備える。図示する例では、アーム部５０３１は、関節部５０３３ａ、５０３３ｂ、５０３３ｃ、及びリンク５０３５ａ、５０３５ｂから構成されており、アーム制御装置５０４５からの制御により駆動される。アーム部５０３１によって内視鏡５００１が支持され、その位置及び姿勢が制御される。これにより、内視鏡５００１の安定的な位置の固定が実現され得る。
【０３３８】
（内視鏡）
内視鏡５００１は、先端から所定の長さの領域が患者５０７１の体腔内に挿入される鏡筒５００３と、鏡筒５００３の基端に接続されるカメラヘッド５００５と、から構成される。図示する例では、硬性の鏡筒５００３を有するいわゆる硬性鏡として構成される内視鏡５００１を図示しているが、内視鏡５００１は、軟性の鏡筒５００３を有するいわゆる軟性鏡として構成されてもよい。
【０３３９】
鏡筒５００３の先端には、対物レンズが嵌め込まれた開口部が設けられている。内視鏡５００１には光源装置５０４３が接続されており、当該光源装置５０４３によって生成された光が、鏡筒５００３の内部に延設されるライトガイドによって当該鏡筒の先端まで導光され、対物レンズを介して患者５０７１の体腔内の観察対象に向かって照射される。なお、内視鏡５００１は、直視鏡であってもよいし、斜視鏡又は側視鏡であってもよい。
【０３４０】
カメラヘッド５００５の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：Camera  Control  Unit）５０３９に送信される。なお、カメラヘッド５００５には、その光学系を適宜駆動させることにより、倍率及び焦点距離を調整する機能が搭載される。
【０３４１】
なお、例えば立体視（３Ｄ表示）等に対応するために、カメラヘッド５００５には撮像素子が複数設けられてもよい。この場合、鏡筒５００３の内部には、当該複数の撮像素子のそれぞれに観察光を導光するために、リレー光学系が複数系統設けられる。
【０３４２】
（カートに搭載される各種の装置）
ＣＣＵ５０３９は、ＣＰＵ（Central  Processing  Unit）やＧＰＵ（Graphics  Processing  Unit）等によって構成され、内視鏡５００１及び表示装置５０４１の動作を統括的に制御する。具体的には、ＣＣＵ５０３９は、カメラヘッド５００５から受け取った画像信号に対して、例えば現像処理（デモザイク処理）等の、当該画像信号に基づく画像を表示するための各種の画像処理を施す。ＣＣＵ５０３９は、当該画像処理を施した画像信号を表示装置５０４１に提供する。また、ＣＣＵ５０３９は、カメラヘッド５００５に対して制御信号を送信し、その駆動を制御する。当該制御信号には、倍率や焦点距離等、撮像条件に関する情報が含まれ得る。
【０３４３】
表示装置５０４１は、ＣＣＵ５０３９からの制御により、当該ＣＣＵ５０３９によって画像処理が施された画像信号に基づく画像を表示する。内視鏡５００１が例えば４Ｋ（水平画素数３８４０×垂直画素数２１６０）又は８Ｋ（水平画素数７６８０×垂直画素数４３２０）等の高解像度の撮影に対応したものである場合、及び／又は３Ｄ表示に対応したものである場合には、表示装置５０４１としては、それぞれに対応して、高解像度の表示が可能なもの、及び／又は３Ｄ表示可能なものが用いられ得る。４Ｋ又は８Ｋ等の高解像度の撮影に対応したものである場合、表示装置５０４１として５５インチ以上のサイズのものを用いることで一層の没入感が得られる。また、用途に応じて、解像度、サイズが異なる複数の表示装置５０４１が設けられてもよい。
【０３４４】
光源装置５０４３は、例えばＬＥＤ（light  emitting  diode）等の光源から構成され、術部を撮影する際の照射光を内視鏡５００１に供給する。
【０３４５】
アーム制御装置５０４５は、例えばＣＰＵ等のプロセッサによって構成され、所定のプログラムに従って動作することにより、所定の制御方式に従って支持アーム装置５０２７のアーム部５０３１の駆動を制御する。
【０３４６】
入力装置５０４７は、内視鏡手術システム５０００に対する入力インタフェースである。ユーザは、入力装置５０４７を介して、内視鏡手術システム５０００に対して各種の情報の入力や指示入力を行うことができる。例えば、ユーザは、入力装置５０４７を介して、患者の身体情報や、手術の術式についての情報等、手術に関する各種の情報を入力する。また、例えば、ユーザは、入力装置５０４７を介して、アーム部５０３１を駆動させる旨の指示や、内視鏡５００１による撮像条件（照射光の種類、倍率及び焦点距離等）を変更する旨の指示、エネルギー処置具５０２１を駆動させる旨の指示等を入力する。
【０３４７】
入力装置５０４７の種類は限定されず、入力装置５０４７は各種の公知の入力装置であってよい。入力装置５０４７としては、例えば、マウス、キーボード、タッチパネル、スイッチ、フットスイッチ５０５７及び／又はレバー等が適用され得る。入力装置５０４７としてタッチパネルが用いられる場合には、当該タッチパネルは表示装置５０４１の表示面上に設けられてもよい。
【０３４８】
あるいは、入力装置５０４７は、例えばメガネ型のウェアラブルデバイスやＨＭＤ（Head  Mounted  Display）等の、ユーザによって装着されるデバイスであり、これらのデバイスによって検出されるユーザのジェスチャや視線に応じて各種の入力が行われる。また、入力装置５０４７は、ユーザの動きを検出可能なカメラを含み、当該カメラによって撮像された映像から検出されるユーザのジェスチャや視線に応じて各種の入力が行われる。更に、入力装置５０４７は、ユーザの声を収音可能なマイクロフォンを含み、当該マイクロフォンを介して音声によって各種の入力が行われる。このように、入力装置５０４７が非接触で各種の情報を入力可能に構成されることにより、特に清潔域に属するユーザ（例えば術者５０６７）が、不潔域に属する機器を非接触で操作することが可能となる。また、ユーザは、所持している術具から手を離すことなく機器を操作することが可能となるため、ユーザの利便性が向上する。
【０３４９】
処置具制御装置５０４９は、組織の焼灼、切開又は血管の封止等のためのエネルギー処置具５０２１の駆動を制御する。気腹装置５０５１は、内視鏡５００１による視野の確保及び術者の作業空間の確保の目的で、患者５０７１の体腔を膨らめるために、気腹チューブ５０１９を介して当該体腔内にガスを送り込む。レコーダ５０５３は、手術に関する各種の情報を記録可能な装置である。プリンタ５０５５は、手術に関する各種の情報を、テキスト、画像又はグラフ等各種の形式で印刷可能な装置である。
【０３５０】
以下、内視鏡手術システム５０００において特に特徴的な構成について、更に詳細に説明する。
【０３５１】
（支持アーム装置）
支持アーム装置５０２７は、基台であるベース部５０２９と、ベース部５０２９から延伸するアーム部５０３１と、を備える。図示する例では、アーム部５０３１は、複数の関節部５０３３ａ、５０３３ｂ、５０３３ｃと、関節部５０３３ｂによって連結される複数のリンク５０３５ａ、５０３５ｂと、から構成されているが、図２８では、簡単のため、アーム部５０３１の構成を簡略化して図示している。実際には、アーム部５０３１が所望の自由度を有するように、関節部５０３３ａ〜５０３３ｃ及びリンク５０３５ａ、５０３５ｂの形状、数及び配置、並びに関節部５０３３ａ〜５０３３ｃの回転軸の方向等が適宜設定され得る。例えば、アーム部５０３１は、好適に、６自由度以上の自由度を有するように構成され得る。これにより、アーム部５０３１の可動範囲内において内視鏡５００１を自由に移動させることが可能になるため、所望の方向から内視鏡５００１の鏡筒５００３を患者５０７１の体腔内に挿入することが可能になる。
【０３５２】
関節部５０３３ａ〜５０３３ｃにはアクチュエータが設けられており、関節部５０３３ａ〜５０３３ｃは当該アクチュエータの駆動により所定の回転軸まわりに回転可能に構成されている。当該アクチュエータの駆動がアーム制御装置５０４５によって制御されることにより、各関節部５０３３ａ〜５０３３ｃの回転角度が制御され、アーム部５０３１の駆動が制御される。これにより、内視鏡５００１の位置及び姿勢の制御が実現され得る。この際、アーム制御装置５０４５は、力制御又は位置制御等、各種の公知の制御方式によってアーム部５０３１の駆動を制御することができる。
【０３５３】
例えば、術者５０６７が、入力装置５０４７（フットスイッチ５０５７を含む）を介して適宜操作入力を行うことにより、当該操作入力に応じてアーム制御装置５０４５によってアーム部５０３１の駆動が適宜制御され、内視鏡５００１の位置及び姿勢が制御されてよい。当該制御により、アーム部５０３１の先端の内視鏡５００１を任意の位置から任意の位置まで移動させた後、その移動後の位置で固定的に支持することができる。なお、アーム部５０３１は、いわゆるマスタースレイブ方式で操作されてもよい。この場合、アーム部５０３１は、手術室から離れた場所に設置される入力装置５０４７を介してユーザによって遠隔操作され得る。
【０３５４】
また、力制御が適用される場合には、アーム制御装置５０４５は、ユーザからの外力を受け、その外力にならってスムーズにアーム部５０３１が移動するように、各関節部５０３３ａ〜５０３３ｃのアクチュエータを駆動させる、いわゆるパワーアシスト制御を行ってもよい。これにより、ユーザが直接アーム部５０３１に触れながらアーム部５０３１を移動させる際に、比較的軽い力で当該アーム部５０３１を移動させることができる。従って、より直感的に、より簡易な操作で内視鏡５００１を移動させることが可能となり、ユーザの利便性を向上させることができる。
【０３５５】
ここで、一般的に、内視鏡下手術では、スコピストと呼ばれる医師によって内視鏡５００１が支持されていた。これに対して、支持アーム装置５０２７を用いることにより、人手によらずに内視鏡５００１の位置をより確実に固定することが可能になるため、術部の画像を安定的に得ることができ、手術を円滑に行うことが可能になる。
【０３５６】
なお、アーム制御装置５０４５は必ずしもカート５０３７に設けられなくてもよい。また、アーム制御装置５０４５は必ずしも１つの装置でなくてもよい。例えば、アーム制御装置５０４５は、支持アーム装置５０２７のアーム部５０３１の各関節部５０３３ａ〜５０３３ｃにそれぞれ設けられてもよく、複数のアーム制御装置５０４５が互いに協働することにより、アーム部５０３１の駆動制御が実現されてもよい。
【０３５７】
（光源装置）
光源装置５０４３は、内視鏡５００１に術部を撮影する際の照射光を供給する。光源装置５０４３は、例えばＬＥＤ、レーザ光源又はこれらの組み合わせによって構成される白色光源から構成される。このとき、ＲＧＢレーザ光源の組み合わせにより白色光源が構成される場合には、各色（各波長）の出力強度及び出力タイミングを高精度に制御することができるため、光源装置５０４３において撮像画像のホワイトバランスの調整を行うことができる。また、この場合には、ＲＧＢレーザ光源それぞれからのレーザ光を時分割で観察対象に照射し、その照射タイミングに同期してカメラヘッド５００５の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０３５８】
また、光源装置５０４３は、出力する光の強度を所定の時間ごとに変更するようにその駆動が制御されてもよい。その光の強度の変更のタイミングに同期してカメラヘッド５００５の撮像素子の駆動を制御して時分割で画像を取得し、その画像を合成することにより、いわゆる黒つぶれ及び白とびのない高ダイナミックレンジの画像を生成することができる。
【０３５９】
また、光源装置５０４３は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Narrow  Band  Imaging）が行われる。あるいは、特殊光観察では、励起光を照射することにより発生する蛍光により画像を得る蛍光観察が行われてもよい。蛍光観察では、体組織に励起光を照射し当該体組織からの蛍光を観察するもの（自家蛍光観察）、又はインドシアニングリーン（ICG）等の試薬を体組織に局注するとともに当該体組織にその試薬の蛍光波長に対応した励起光を照射し蛍光像を得るもの等が行われ得る。光源装置５０４３は、このような特殊光観察に対応した狭帯域光及び／又は励起光を供給可能に構成され得る。
【０３６０】
（カメラヘッド及びＣＣＵ）
図２９を参照して、内視鏡５００１のカメラヘッド５００５及びＣＣＵ５０３９の機能についてより詳細に説明する。図２９は、図２８に示すカメラヘッド５００５及びＣＣＵ５０３９の機能構成の一例を示すブロック図である。
【０３６１】
図２９を参照すると、カメラヘッド５００５は、その機能として、レンズユニット５００７と、撮像部５００９と、駆動部５０１１と、通信部５０１３と、カメラヘッド制御部５０１５と、を有する。また、ＣＣＵ５０３９は、その機能として、通信部５０５９と、画像処理部５０６１と、制御部５０６３と、を有する。カメラヘッド５００５とＣＣＵ５０３９とは、伝送ケーブル５０６５によって双方向に通信可能に接続されている。
【０３６２】
まず、カメラヘッド５００５の機能構成について説明する。レンズユニット５００７は、鏡筒５００３との接続部に設けられる光学系である。鏡筒５００３の先端から取り込まれた観察光は、カメラヘッド５００５まで導光され、当該レンズユニット５００７に入射する。レンズユニット５００７は、ズームレンズ及びフォーカスレンズを含む複数のレンズが組み合わされて構成される。レンズユニット５００７は、撮像部５００９の撮像素子の受光面上に観察光を集光するように、その光学特性が調整されている。また、ズームレンズ及びフォーカスレンズは、撮像画像の倍率及び焦点の調整のため、その光軸上の位置が移動可能に構成される。
【０３６３】
撮像部５００９は撮像素子によって構成され、レンズユニット５００７の後段に配置される。レンズユニット５００７を通過した観察光は、当該撮像素子の受光面に集光され、光電変換によって、観察像に対応した画像信号が生成される。撮像部５００９によって生成された画像信号は、通信部５０１３に提供される。
【０３６４】
撮像部５００９を構成する撮像素子としては、例えばＣＭＯＳ（Complementary  Metal  Oxide  Semiconductor）タイプのイメージセンサであり、Ｂａｙｅｒ配列を有するカラー撮影可能なものが用いられる。なお、当該撮像素子としては、例えば４Ｋ以上の高解像度の画像の撮影に対応可能なものが用いられてもよい。術部の画像が高解像度で得られることにより、術者５０６７は、当該術部の様子をより詳細に把握することができ、手術をより円滑に進行することが可能となる。
【０３６５】
また、撮像部５００９を構成する撮像素子は、３Ｄ表示に対応する右目用及び左目用の画像信号をそれぞれ取得するための１対の撮像素子を有するように構成される。３Ｄ表示が行われることにより、術者５０６７は術部における生体組織の奥行きをより正確に把握することが可能になる。なお、撮像部５００９が多板式で構成される場合には、各撮像素子に対応して、レンズユニット５００７も複数系統設けられる。
【０３６６】
また、撮像部５００９は、必ずしもカメラヘッド５００５に設けられなくてもよい。例えば、撮像部５００９は、鏡筒５００３の内部に、対物レンズの直後に設けられてもよい。
【０３６７】
駆動部５０１１は、アクチュエータによって構成され、カメラヘッド制御部５０１５からの制御により、レンズユニット５００７のズームレンズ及びフォーカスレンズを光軸に沿って所定の距離だけ移動させる。これにより、撮像部５００９による撮像画像の倍率及び焦点が適宜調整され得る。
【０３６８】
通信部５０１３は、ＣＣＵ５０３９との間で各種の情報を送受信するための通信装置によって構成される。通信部５０１３は、撮像部５００９から得た画像信号をＲＡＷデータとして伝送ケーブル５０６５を介してＣＣＵ５０３９に送信する。この際、術部の撮像画像を低レイテンシで表示するために、当該画像信号は光通信によって送信されることが好ましい。手術の際には、術者５０６７が撮像画像によって患部の状態を観察しながら手術を行うため、より安全で確実な手術のためには、術部の動画像が可能な限りリアルタイムに表示されることが求められるからである。光通信が行われる場合には、通信部５０１３には、電気信号を光信号に変換する光電変換モジュールが設けられる。画像信号は当該光電変換モジュールによって光信号に変換された後、伝送ケーブル５０６５を介してＣＣＵ５０３９に送信される。
【０３６９】
また、通信部５０１３は、ＣＣＵ５０３９から、カメラヘッド５００５の駆動を制御するための制御信号を受信する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。通信部５０１３は、受信した制御信号をカメラヘッド制御部５０１５に提供する。なお、ＣＣＵ５０３９からの制御信号も、光通信によって伝送されてもよい。この場合、通信部５０１３には、光信号を電気信号に変換する光電変換モジュールが設けられ、制御信号は当該光電変換モジュールによって電気信号に変換された後、カメラヘッド制御部５０１５に提供される。
【０３７０】
なお、上記のフレームレートや露出値、倍率、焦点等の撮像条件は、取得された画像信号に基づいてＣＣＵ５０３９の制御部５０６３によって自動的に設定される。つまり、いわゆるＡＥ（Auto  Exposure）機能、ＡＦ（Auto  Focus）機能及びＡＷＢ（Auto  White  Balance）機能が内視鏡５００１に搭載される。
【０３７１】
カメラヘッド制御部５０１５は、通信部５０１３を介して受信したＣＣＵ５０３９からの制御信号に基づいて、カメラヘッド５００５の駆動を制御する。例えば、カメラヘッド制御部５０１５は、撮像画像のフレームレートを指定する旨の情報及び／又は撮像時の露光を指定する旨の情報に基づいて、撮像部５００９の撮像素子の駆動を制御する。また、例えば、カメラヘッド制御部５０１５は、撮像画像の倍率及び焦点を指定する旨の情報に基づいて、駆動部５０１１を介してレンズユニット５００７のズームレンズ及びフォーカスレンズを適宜移動させる。カメラヘッド制御部５０１５は、更に、鏡筒５００３やカメラヘッド５００５を識別するための情報を記憶する機能を備えてもよい。
【０３７２】
なお、レンズユニット５００７や撮像部５００９等の構成を、気密性及び防水性が高い密閉構造内に配置することで、カメラヘッド５００５について、オートクレーブ滅菌処理に対する耐性を持たせることができる。
【０３７３】
次に、ＣＣＵ５０３９の機能構成について説明する。通信部５０５９は、カメラヘッド５００５との間で各種の情報を送受信するための通信装置によって構成される。通信部５０５９は、カメラヘッド５００５から、伝送ケーブル５０６５を介して送信される画像信号を受信する。この際、上記のように、当該画像信号は好適に光通信によって送信され得る。この場合、光通信に対応して、通信部５０５９には、光信号を電気信号に変換する光電変換モジュールが設けられる。通信部５０５９は、電気信号に変換した画像信号を画像処理部５０６１に提供する。
【０３７４】
また、通信部５０５９は、カメラヘッド５００５に対して、カメラヘッド５００５の駆動を制御するための制御信号を送信する。当該制御信号も光通信によって送信されてよい。
【０３７５】
画像処理部５０６１は、カメラヘッド５００５から送信されたＲＡＷデータである画像信号に対して各種の画像処理を施す。当該画像処理としては、例えば現像処理、高画質化処理（帯域強調処理、超解像処理、ＮＲ（Noise  reduction）処理及び／又は手ブレ補正処理等）、並びに／又は拡大処理（電子ズーム処理）等、各種の公知の信号処理が含まれる。また、画像処理部５０６１は、ＡＥ、ＡＦ及びＡＷＢを行うための、画像信号に対する検波処理を行う。
【０３７６】
画像処理部５０６１は、ＣＰＵやＧＰＵ等のプロセッサによって構成され、当該プロセッサが所定のプログラムに従って動作することにより、上述した画像処理や検波処理が行われ得る。なお、画像処理部５０６１が複数のＧＰＵによって構成される場合には、画像処理部５０６１は、画像信号に係る情報を適宜分割し、これら複数のＧＰＵによって並列的に画像処理を行う。
【０３７７】
制御部５０６３は、内視鏡５００１による術部の撮像、及びその撮像画像の表示に関する各種の制御を行う。例えば、制御部５０６３は、カメラヘッド５００５の駆動を制御するための制御信号を生成する。この際、撮像条件がユーザによって入力されている場合には、制御部５０６３は、当該ユーザによる入力に基づいて制御信号を生成する。あるいは、内視鏡５００１にＡＥ機能、ＡＦ機能及びＡＷＢ機能が搭載されている場合には、制御部５０６３は、画像処理部５０６１による検波処理の結果に応じて、最適な露出値、焦点距離及びホワイトバランスを適宜算出し、制御信号を生成する。
【０３７８】
また、制御部５０６３は、画像処理部５０６１によって画像処理が施された画像信号に基づいて、術部の画像を表示装置５０４１に表示させる。この際、制御部５０６３は、各種の画像認識技術を用いて術部画像内における各種の物体を認識する。例えば、制御部５０６３は、術部画像に含まれる物体のエッジの形状や色等を検出することにより、鉗子等の術具、特定の生体部位、出血、エネルギー処置具５０２１使用時のミスト等を認識することができる。制御部５０６３は、表示装置５０４１に術部の画像を表示させる際に、その認識結果を用いて、各種の手術支援情報を当該術部の画像に重畳表示させる。手術支援情報が重畳表示され、術者５０６７に提示されることにより、より安全かつ確実に手術を進めることが可能になる。
【０３７９】
カメラヘッド５００５及びＣＣＵ５０３９を接続する伝送ケーブル５０６５は、電気信号の通信に対応した電気信号ケーブル、光通信に対応した光ファイバ、又はこれらの複合ケーブルである。
【０３８０】
ここで、図示する例では、伝送ケーブル５０６５を用いて有線で通信が行われていたが、カメラヘッド５００５とＣＣＵ５０３９との間の通信は無線で行われてもよい。両者の間の通信が無線で行われる場合には、伝送ケーブル５０６５を手術室内に敷設する必要がなくなるため、手術室内における医療スタッフの移動が当該伝送ケーブル５０６５によって妨げられる事態が解消され得る。
【０３８１】
以上、本開示に係る技術が適用され得る内視鏡手術システム５０００の一例について説明した。なお、ここでは、一例として内視鏡手術システム５０００について説明したが、本開示に係る技術が適用され得るシステムはかかる例に限定されない。例えば、本開示に係る技術は、検査用軟性内視鏡システムや顕微鏡手術システムに適用されてもよい。
【０３８２】
本開示に係る技術は、以上説明した構成のうち、表示装置５０４１に好適に適用され得る。表示装置５０４１に表示される画像は、術者５０６７の立ち位置、表示装置５０４１の配置、内視鏡５００１の向き等によってはフリップ機能を用いて上下や左右を反転して画像を表示した方が術者にとって好適な場合がある。
【０３８３】
このような場合に本開示に係る技術を適用することにより、フリップ機能がオンの場合には入力装置５０４７からの方向指示入力がされた際に反転の方向に応じて、表示装置５０４１を基準として指示された方向に関する操作を行えるよう制御することで、フリップ設定のオン、オフを気にすることなく操作を行うことができ、内視鏡手術システム５０００の使い勝手を向上させることができる。
【０３８４】
さらに、本技術は、以下の構成とすることも可能である。
【０３８５】
（１）
画像を上下方向に反転させて表示するフリップ機能をオンまたはオフに設定する設定部と、
前記フリップ機能の設定に基づき表示画面を表示させ、外部機器から所定方向に関する操作指示を受信した場合、前記表示画面を基準として前記所定方向に関する操作が行われるように制御する制御部と
を備える画像処理装置。
（２）
前記制御部は、前記フリップ機能がオンに設定されている場合、前記表示画面を上下方向に反転させて表示させる
（１）に記載の画像処理装置。
（３）
前記制御部は、前記フリップ機能がオンに設定されている場合、前記外部機器を基準とする上方向に関する操作指示を前記外部機器から受信したとき、上下方向に反転表示された前記表示画面を基準として上方向への操作が行われるように制御する
（２）に記載の画像処理装置。
（４）
前記制御部は、前記フリップ機能がオフに設定されている場合、前記表示画面を上下方向に反転させずに表示させ、前記外部機器を基準とする上方向に関する操作指示を前記外部機器から受信したとき、上下方向に反転されずに表示された前記表示画面を基準として上方向への操作が行われるように制御する
（２）または（３）に記載の画像処理装置。
（５）
前記表示画面は、複数のメニュー項目が並べられて配置されたメニュー画面である
（１）乃至（４）の何れか一項に記載の画像処理装置。
（６）
前記制御部は、前記フリップ機能がオンに設定されている場合、前記メニュー画面を上下方向に反転させて表示させ、前記外部機器から前記所定方向に関する操作指示を受信したとき、前記所定方向に関する操作指示に基づいて、上下方向に反転表示された前記メニュー画面を基準として前記メニュー画面上の前記メニュー項目を選択する
（５）に記載の画像処理装置。
（７）
前記制御部は、前記外部機器から方向に関係付けられていない操作指示を受信した場合、前記フリップ機能の設定によらず、前記方向に関係付けられていない操作が行われるように制御する
（１）乃至（６）の何れか一項に記載の画像処理装置。
（８）
前記フリップ機能がオンに設定された場合、撮影により得られた画像の上下方向の反転、収音により得られた収音音声の左右のチャンネルの入れ替え、前記表示画面の上下方向の反転表示、および互いに異なる方向に関係付けられた操作部間における割り当て機能の入れ替えのうちの少なくとも何れか１つが行われる
（１）乃至（７）の何れか一項に記載の画像処理装置。
（９）
画像を上下方向に反転させて表示するフリップ機能をオンまたはオフに設定し、
前記フリップ機能の設定に基づき表示画面を表示させ、外部機器から所定方向に関する操作指示を受信した場合、前記表示画面を基準として前記所定方向に関する操作が行われるように制御する
ステップを含む制御方法。
（１０）
画像を上下方向に反転させて表示するフリップ機能をオンまたはオフに設定し、
前記フリップ機能の設定に基づき表示画面を表示させ、外部機器から所定方向に関する操作指示を受信した場合、前記表示画面を基準として前記所定方向に関する操作が行われるように制御する
ステップを含む処理をコンピュータに実行させるプログラム。
【符号の説明】
【０３８６】
１１  撮像装置，  ２２  収音部，  ６１  表示部，  ６３  上ボタン，  ６４  下ボタン，  ６５  左ボタン，  ６６  右ボタン，  １３１  撮像部，  １３３  制御部，  １３５  通信部，  １３６  入出力端子，  １５１  設定部，  １５２  OSD画像生成部，  １５３  表示制御部，  １５４  記録制御部
【図１】
2018088238.tif 000003
【図２】
2018088238.tif 000004
【図３】
2018088238.tif 000005
【図４】
2018088238.tif 000006
【図５】
2018088238.tif 000007
【図６】
2018088238.tif 000008
【図７】
2018088238.tif 000009
【図８】
2018088238.tif 000010
【図９】
2018088238.tif 000011
【図１０】
2018088238.tif 000012
【図１１】
2018088238.tif 000013
【図１２】
2018088238.tif 000014
【図１３】
2018088238.tif 000015
【図１４】
2018088238.tif 000016
【図１５】
2018088238.tif 000017
【図１６】
2018088238.tif 000018
【図１７】
2018088238.tif 000019
【図１８】
2018088238.tif 000020
【図１９】
2018088238.tif 000021
【図２０】
2018088238.tif 000022
【図２１】
2018088238.tif 000023
【図２２】
2018088238.tif 000024
【図２３】
2018088238.tif 000025
【図２４】
2018088238.tif 000026
【図２５】
2018088238.tif 000027
【図２６】
2018088238.tif 000028
【図２７】
2018088238.tif 000029
【図２８】
2018088238.tif 000030
【図２９】
2018088238.tif 000031
【国際調査報告】
2018088238.tif 000032
2018088238.tif 000033